(57)【特許請求の範囲】
【請求項１】
遊技盤を本体枠に搭載してなる遊技機本体と、
前記遊技機本体により回動可能に支持され、当該遊技機本体を遊技機前方から覆う扉体と、
前記本体枠において前記扉体が支持されている側とは反対側、及び前記扉体における回動先端側に設けられており、前記扉体を前記遊技機本体に対して閉じた状態で施錠する施錠状態及び施錠しない施錠解除状態に切替可能な施錠装置と、
前記遊技盤の前面から前方へ起立して設けられ、前記遊技盤の前面に遊技領域及びその遊技領域へ遊技球を誘導する誘導部を、当該誘導部が当該遊技領域よりも前記扉体の回動基端部寄りとなるようにして区画形成する内レール部及び外レール部と、
前記扉体に設けられ、前記遊技盤の前面に対して前記遊技領域を隔てて対向し、前記遊技領域が視認可能となるように形成されたパネル部と、
前記施錠装置が設けられている側に配置され、前記遊技盤と前記パネル部との隙間の拡がりを規制する規制状態及び規制を解除する規制解除状態に切替可能に構成され、前記扉体が前記遊技機本体に対して閉じることにより前記規制状態となる規制機構と、
前記施錠装置の前記施錠解除状態への切り替えに基づいて、前記規制機構を前記規制解除状態に切り替える切替手段と、
前記遊技盤に設けられ、前記外レール部において少なくとも前記誘導部を区画形成している部分を当該誘導部とは反対側から覆うカバー部と
を備え、
前記カバー部は、前記外レール部に前記誘導部とは反対側から対向する壁部と、前記壁部から前記誘導部の前方へ延びる遊技盤側規制部とを有し、
前記パネル部は、前記扉体が閉位置へ移動することにより、前記誘導部と前記遊技盤側規制部との間に挿入される扉体側規制部を有し、
前記扉体が閉位置に配置された状態にて、前記遊技盤側規制部に前記扉体側規制部が後方から当接することにより前記遊技盤と前記パネル部との隙間の拡がりが規制され、
前記施錠装置が前記施錠解除状態に切り替えられて前記扉体が開位置へ移動することにより、前記扉体側規制部が前記誘導部と前記遊技盤側規制部との間から退避することを特徴とする遊技機。
【発明の詳細な説明】
【技術分野】
【０００１】
本発明は、遊技機に関するものである。
【背景技術】
【０００２】
パチンコ機等の遊技機には、遊技盤を本体枠に搭載してなる遊技機本体と、その遊技機本体に取り付けられているとともに同遊技機本体を前面側から覆う扉体とを備えているものがある。扉体は、遊技盤の前方に開口部が形成された扉枠と、同扉枠とは別体で形成され、その開口部を覆うパネル部とを有している。パネル部は、遊技盤の前面に対向するようにして配置されており、それら遊技盤とパネル部との間に形成された遊技領域が同パネル部を通して視認可能となっている。遊技盤とパネル部との隙間は、例えば遊技球の直径寸法よりも若干大きく設定されており、上記遊技領域での遊技球の流下が担保されている。
【０００３】
遊技領域には入賞口や入賞装置等の各種構成が設けられている。遊技者により遊技球発射ハンドルが操作されると遊技球が遊技領域に向けて発射され、それら遊技球が入賞口や入賞装置等に入賞した場合には予め設定された個数の遊技球が払い出される（例えば特許文献１参照）。
【先行技術文献】
【特許文献】
【０００４】
【特許文献１】特開２００８−１０４４６８号公報
【発明の概要】
【発明が解決しようとする課題】
【０００５】
上述の如く遊技盤とパネル部との間に遊技領域が形成されているタイプの遊技機においては、遊技領域内での遊技球の挙動によって有利不利が決定されるため、それら遊技盤とパネル部との位置関係がばらついたり変化したりすることは好ましくない。
【０００６】
本発明は、上記例示した事情等に鑑みてなされたものであり、遊技盤とパネル部との位置関係を好適に維持することができる遊技機を提供することを目的とするものである。
【課題を解決するための手段】
【０００７】
以下、上記課題を解決するための手段について記載する。
【０００８】
請求項１に記載の発明は、
遊技盤を本体枠に搭載してなる遊技機本体と、
前記遊技機本体により回動可能に支持され、当該遊技機本体を遊技機前方から覆う扉体と、
前記本体枠において前記扉体が支持されている側とは反対側、及び前記扉体における回動先端側に設けられており、前記扉体を前記遊技機本体に対して閉じた状態で施錠する施錠状態及び施錠しない施錠解除状態に切替可能な施錠装置と、
前記遊技盤の前面から前方へ起立して設けられ、前記遊技盤の前面に遊技領域及びその遊技領域へ遊技球を誘導する誘導部を、当該誘導部が当該遊技領域よりも前記扉体の回動基端部寄りとなるようにして区画形成する内レール部及び外レール部と、
前記扉体に設けられ、前記遊技盤の前面に対して前記遊技領域を隔てて対向し、前記遊技領域が視認可能となるように形成されたパネル部と、
前記施錠装置が設けられている側に配置され、前記遊技盤と前記パネル部との隙間の拡がりを規制する規制状態及び規制を解除する規制解除状態に切替可能に構成され、前記扉体が前記遊技機本体に対して閉じることにより前記規制状態となる規制機構と、
前記施錠装置の前記施錠解除状態への切り替えに基づいて、前記規制機構を前記規制解除状態に切り替える切替手段と、
前記遊技盤に設けられ、前記外レール部において少なくとも前記誘導部を区画形成している部分を当該誘導部とは反対側から覆うカバー部と
を備え、
前記カバー部は、前記外レール部に前記誘導部とは反対側から対向する壁部と、前記壁部から前記誘導部の前方へ延びる遊技盤側規制部とを有し、
前記パネル部は、前記扉体が閉位置へ移動することにより、前記誘導部と前記遊技盤側規制部との間に挿入される扉体側規制部を有し、
前記扉体が閉位置に配置された状態にて、前記遊技盤側規制部に前記扉体側規制部が後方から当接することにより前記遊技盤と前記パネル部との隙間の拡がりが規制され、
前記施錠装置が前記施錠解除状態に切り替えられて前記扉体が開位置へ移動することにより、前記扉体側規制部が前記誘導部と前記遊技盤側規制部との間から退避することを特徴とする。
【発明の効果】
【０００９】
遊技盤とパネル部との位置関係を好適に維持することができる。
【図面の簡単な説明】
【００１０】
【図１】一実施の形態におけるパチンコ機を示す正面図である。
【図２】パチンコ機の主要な構成を展開して示す斜視図である。
【図３】前扉枠の構成を示す背面図である。
【図４】前扉枠の構成を示す分解斜視図である。
【図５】内枠の構成を示す正面図である。
【図６】遊技盤の構成を示す正面図である。
【図７】内枠の構成を示す背面図である。
【図８】遊技盤の背面構成を示す斜視図である。
【図９】パチンコ機の構成を示す背面図である。
【図１０】裏パックユニットの構成を示す正面図である。
【図１１】内枠から遊技盤を取り外した状態を示す正面斜視図である。
【図１２】図５のＡ−Ａ線部分断面図である。
【図１３】開放された前扉枠と遊技盤及び挿入部との位置関係を示す概略図である。
【図１４】図６の部分拡大図である。
【図１５】第２レールカバーの正面斜視図である。
【図１６】第２レールカバーとガラスユニットとの位置関係を示す概略図である。
【図１７】図５のＢ−Ｂ線部分断面図である。
【図１８】前面扉開閉時の遊技盤とガラスユニットとの位置関係を示す概略図である。
【図１９】内枠から遊技盤を取り外した状態を示す斜視図である。
【図２０】施錠装置を内枠から取り外した状態を示す斜視図である。
【図２１】施錠装置を後方から見た斜視図である。
【図２２】施錠装置を主要構成部品毎に分解して示す分解斜視図である。
【図２３】両鉤部材の位置関係を示す概略図である。
【図２４】操作キーＫを時計回りに回動操作した状態を示す概略図である。
【図２５】操作キーＫを反時計回りに回動操作した状態を示す概略図である。
【図２６】第２規制機構を遊技機側方から見た概略図である。
【図２７】図２７のＣ−Ｃ線部分断面図である。
【図２８】前面扉を閉じる際の第２規制機構の動作を示す動作説明図である。
【図２９】前面扉を開く際の第２規制機構の動作を示す動作説明図である。
【図３０】ガラスユニットの取付構造を示す部分断面図である。
【図３１】遊技盤とガラスユニットとの位置関係を示す概略図である。
【図３２】遊技盤とガラスユニットとの位置関係を示す概略図である。
【図３３】パチンコ機の電気的構成を示すブロック図である。
【発明を実施するための形態】
【００１１】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１４】
この外枠１１によって遊技機主部１２が開閉可能な状態で支持されている。具体的には、図１に示すように、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１５】
図２に示すように、遊技機主部１２は、ベース体としての内枠１３と、その内枠１３の前方に配置される前面扉１４と、内枠１３の後方に配置される裏パックユニット１５（図３参照）とを備えている。なお、遊技機主部１２のうち内枠１３が外枠１１に対して回動可能に支持されている。
【００１６】
内枠１３には、図２に示すように、前面扉１４が回動可能に支持されており、パチンコ機１０の正面視で左側を回動基端側とし右側を回動先端側として前方へ回動可能とされている。また、内枠１３には、図３に示すように、裏パックユニット１５が回動可能に支持されており、パチンコ機１０の正面視で左側を回動基端側とし右側を回動先端側として後方へ回動可能とされている。
【００１７】
次に、前面扉１４について説明する。なお、以下の説明では、図１及び図２を参照するとともに、前面扉１４の背面の構成については図３及び図４を参照する。図３は前面扉１４の背面図、図４は前面扉１４の分解斜視図である。
【００１８】
図２に示すように、前面扉１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を前方から視認することができるようにした略楕円状の窓部２１が形成されており、その窓部２１はガラスユニット３０によって同前面扉１４の背面側から覆われている（図３参照）。
【００１９】
図４に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が配設されている。ガラスユニット３０は、ガラスユニット設置部２２に嵌まることで上下方向及び左右方向への変位が規制されている。
【００２０】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部３４を有しており、同枠部３４によって囲まれた領域にガラスパネル３１，３２が収容されている。
【００２１】
枠部３４には、ガラスパネル３１，３２を収容している側とは反対側に突出するようにして枠体２０に対する取付部３５が複数形成されている。取付部３５は枠部３４の４隅に配設されており、これら取付部３５が枠体２０にネジ止めされることで、ガラスユニット３０と枠体２０とが一体化されている。なお、ガラスユニット３０の取付構造に関しては後に詳しく説明する。
【００２２】
また、枠部３４には、上記囲まれた領域を前後に仕切る仕切り部３６が形成されている。仕切り部３６は、枠部３４の中央側へ起立しており、当該枠部３４の周方向に延びる突条をなしている。つまり、仕切り部３６によってガラスパネル３１，３２を収容する収容部３７，３８が区画されている。
【００２３】
各ガラスパネル３１，３２は、収容部３７，３８に収容され仕切り部３６を挟んで相対向した状態で、同仕切り部３６に対して接着されている。これにより、ガラスパネル３１，３２の間に所定の隙間が確保され、ガラスパネル３１，３２同士の干渉を回避しつつ、それらガラスパネル３１，３２によって遊技領域ＰＥをパチンコ機１０の正面側から２重に覆った状態となっている。
【００２４】
再び図１を参照して説明すれば、窓部２１の周囲には各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、窓部２１の左右両側には賞球払出中に点灯する賞球ランプ部２５が設けられている。また、中央のエラー表示ランプ部２４に近接した位置には、遊技状態に応じた効果音などが出力されるスピーカ部２６が設けられている。
【００２５】
前面扉１４における窓部２１の下方には、手前側へ膨出した上側膨出部２７と下側膨出部２８とが上下に並設されている。上側膨出部２７内側には上方に開口した上皿２７ａが設けられており、下側膨出部２８内側には同じく上方に開口した下皿２８ａが設けられている。上皿２７ａは、後述する払出装置より払い出された遊技球を一旦貯留し、一列に整列させながら後述する遊技球発射機構側へ導く機能を有している。また、下皿２８ａは、上皿２７ａ内にて余剰となった遊技球を貯留する機能を有している。
【００２６】
下側膨出部２８並びとなる位置には、手前側へ突出するようにして遊技球発射ハンドル２９が設けられている。遊技球発射ハンドル２９が操作されることにより、後述する遊技球発射機構から遊技球が発射される。
【００２７】
前面扉１４の背面には、図２及び図３に示すように、通路形成ユニット５０が取り付けられている。通路形成ユニット５０は、合成樹脂により成形されており、上皿２７ａに通じる前扉側上皿通路５１と、下皿２８ａに通じる前扉側下皿通路５２とが形成されてなる。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿２７ａに導かれ、前扉側下皿通路５２に入った遊技球は下皿２８ａに導かれる。
【００２８】
次に、図５に基づき内枠１３について詳細に説明する。図５は内枠１３の正面図である。なお、図５においては、図２と同様にパチンコ機１０の遊技領域内の構成を省略している。
【００２９】
内枠１３は、外形が外枠１１とほぼ同一形状をなす樹脂ベース７０を主体に構成されている。樹脂ベース７０の前面における回動基端側（図５の左側）には、その上端部及び下端部に支持金具７１，７２が取り付けられている。また、前面扉１４の背面における回動基端側（図３の右側）には、それら支持金具７１，７２に対応させて突起軸６１，６２が設けられている。図示は省略するが、支持金具７１，７２には軸孔が形成されており、それら軸孔に前面扉１４の突起軸６１，６２が挿入されることにより、内枠１３に対して前面扉１４が回動可能に支持されている。つまり、これら支持金具７１，７２及び突起軸６１，６２は内枠１３に対する組付機構を構成している。また、前面扉１４（詳しくは枠体２０）の背面における回動先端側（図３の左側）には、図２に示すように、後方に延びる鉤受け部材６３が上下方向に複数並設されている。これら鉤受け部材６３は内枠１３に対する施錠機構を構成する。なお、本実施の形態においては、前面扉１４を内枠１３に対して開放不能な状態で施錠する上記施錠機構と、遊技機主部１２を外枠１１に対して開放不能な状態で施錠する施錠機構とが１の施錠装置によって具現化されており、後述する操作手段を操作することで、前面扉１４及び遊技機主部１２（内枠１３）を個別に解錠可能となっているが、同施錠装置に関しての詳細な説明は後述する。
【００３０】
樹脂ベース７０前面の略中央部分には、遊技盤８０を収容する遊技盤収容部７３が形成されている。遊技盤収容部７３は、パチンコ機１０の後方に凹み、遊技盤８０を収容する収容空間を区画しており、樹脂ベース７０に取り付けられた遊技盤８０がその収容空間に嵌まった状態となっている。本実施の形態においては特に、遊技盤８０が樹脂ベース７０に対して着脱可能に取り付けられており、メンテナンス作業等の容易化が図られている。
【００３１】
遊技盤８０は、木製の合板と同合板における前側の板面を覆うシート材とを有してなり、その前面が遊技盤収容部７３の開放部分を通じて樹脂ベース７０の正面側に露出している。この露出している部位、すなわち遊技盤８０の前面には、遊技球が流下する遊技領域ＰＥが形成されている。既に説明したように遊技領域ＰＥはガラスパネル３２によって覆われている。ガラスパネル３２は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるのものではなく、例えば合成樹脂材製とすることも可能である。
【００３２】
以下、図６に基づき遊技盤８０（特に遊技領域ＰＥに配された各種構成）について説明する。図６は遊技盤８０の正面図である。
【００３３】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００３４】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確立で発生するように調整されている。
【００３５】
可変入賞装置８２は、通常は遊技球が入賞できない又は入賞し難い閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００３６】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００３７】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、左，中及び右に並べて図柄を表示し、それら図柄を上下スクロールさせるようにして変動表示させてもよい。
【００３８】
また、可変表示ユニット８５は、図柄表示装置９４を囲むようにして形成されたセンターフレーム９５を備えている。センターフレーム９５の上部には、第１特定ランプ部９６及び第２特定ランプ部９７が設けられている。また、センターフレーム９５の上部及び下部にはそれぞれ保留ランプ部９８，９９が設けられている。下側の保留ランプ部９８は、図柄表示装置９４及び第１特定ランプ部９６に対応しており、遊技球が作動口８３を通過した回数は最大４回まで保留され保留ランプ部９８の点灯によってその保留個数が表示されるようになっている。上側の保留ランプ部９９は、第２特定ランプ部９７に対応しており、遊技球がスルーゲート８４を通過した回数は最大４回まで保留され保留ランプ部９９の点灯によってその保留個数が表示されるようになっている。
【００３９】
再び図５を用いて説明すれば、樹脂ベース７０における遊技盤収容部７３（遊技盤８０）の下方には、遊技球発射ハンドル２９の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に対してネジ止めされることで内枠１３に対して一体化されている。
【００４０】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパ１１５が配されている。球ストッパ１１５よりも更に下流側となる位置に、上記ソレノイド１１１が配置されている。
【００４１】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００４２】
誘導レール１００は、後述する遊技領域区画部材と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００４３】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００４４】
同図５に示すように、誘導レール１００及び発射レール１１２は、同誘導レール１００の入口部分１０４と発射レール１１２の先端部分とが遊技盤８０の下端縁を挟んで斜めに対峙するように配置されている。つまり、それら両レール１００，１１２は、同誘導レール１００の入口部分１０４と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分１０４と発射レール１１２との間には所定間隔の隙間を形成している。
【００４５】
このようにして形成された隙間よりも下側にはファール球通路５５が配設されている。ファール球通路５５は前面扉１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２８ａに排出される。これにより、ファール球と次に発射される遊技球との干渉が抑制される。
【００４６】
ここで、誘導レール１００と共に遊技領域ＰＥを区画形成する遊技領域区画部材４８０について、同誘導レール１００との関係を踏まえて説明する。
【００４７】
図６に示すように、遊技盤８０の誘導レール１００は遊技盤８０の回動先端側に開放された弧状をなしている。遊技盤８０の前面には、その開放部位を塞ぎ誘導レール１００と共に遊技領域ＰＥを区画するブロック状の上記遊技領域区画部材４８０が設けられている。言い換えれば、誘導レール１００と遊技領域区画部材４８０とは、前者が遊技盤８０の回動基端側、後者が遊技盤８０の回動先端側に配置されることで両者併せて環状をなしており、それら誘導レール１００及び遊技領域区画部材４８０によって区画された領域により遊技領域ＰＥが構成されている。なお、遊技領域区画部材４８０は、遊技盤８０の前面から張り出しており、その前面部がガラスパネル３２に対して僅かな隙間（詳しくは遊技球の直径寸法以下の隙間）を隔てて対峙している。これにより、遊技球が遊技領域区画部材４８０を乗り越えて遊技領域ＰＥ外に流出することを回避している。
【００４８】
遊技領域区画部材４８０は、遊技盤８０の回動先端側の端部（左端部）に沿って配置されており、遊技盤８０の上端部から下端部に跨って上下に延びている。遊技領域区画部材４８０において外レール１０２の先端に隣接する部位、詳しくは遊技領域ＰＥの内側に位置する壁面には、外レール１０２に沿って移動（飛翔）する遊技球が衝突することにより同遊技球を遊技領域ＰＥの中央側へ跳ね返す返しゴム４９０が装着されている。
【００４９】
遊技球発射ハンドル２９が操作されると、遊技球が遊技球発射機構１１０の発射レール１１２に沿って誘導レール１００の入口部分１０４に向けて発射される。遊技球発射ハンドル２９の操作量が予め定められた規定量を上回った場合には、遊技球が外レール１０２に沿って移動し、可変表示ユニット８５（図６参照）の上方を通過する。そして、同遊技球は、外レール１０２から当該外レール１０２のレール方向先側に向けて飛び出し、返しゴム４９０に衝突する。この衝突に基づいて返しゴム４９０が圧縮され（例えば弾性変形し）、返しゴム４９０に加わった衝突荷重の一部が遊技領域区画部材４８０に伝わることとなる。以上の過程を経ることにより、遊技球発射機構１１０によって遊技球に付与された勢いを弱め、返しゴム４９０よりも下流側に配された釘８７等の各種構成を保護している。
【００５０】
図６に示すように、遊技領域区画部材４８０は、遊技盤８０に対して複数箇所でネジ止めされている。それらネジ４９１の少なくとも１つは返しゴム４９０の近傍、具体的には遊技球の衝突方向において返しゴム４９０よりも先側となる位置に配されている。これにより、上記衝突荷重を遊技盤８０に対して分散させやすくし、遊技球の繰り返しの衝突に対する耐久性の向上が図られている。
【００５１】
また、遊技領域区画部材４８０は、後述するロック装置を遊技盤８０の回動基端側から迂回するようにして遊技盤８０の下端縁に至っており、同遊技領域区画部材４８０の下部、詳しくは誘導レール１００の右側開放部分よりも下側となる部位には、誘導レール１００の内レール１０１に遊技領域ＰＥ外側から対向する対向部４８５が形成されている。対向部４８５は、内レール１０１において遊技盤８０のアウト口８６と内レール１０１の下側の開放端との間となる部位に対して下側から若干の隙間を隔てて対向している。すなわち、内レール１０１と遊技領域区画部材４８０とが内外に重なっている。
【００５２】
既に説明したように、遊技領域ＰＥに達した遊技球の一部は、同遊技領域ＰＥを流下する過程で一般入賞口８１等の入球口に入るが、それら入球口に入らなかった遊技球については内レール１０１によって排出口としてのアウト口８６に導かれる。より具体的には、内レール１０１は、下方に凸となる円弧状をなしており、その下端部にアウト口８６が配置されている。このため、入球口に入らなかった遊技球は、内レール１０１に衝突した後、内レール１０１に沿って遊技領域ＰＥの最下部に誘導される。
【００５３】
内レール１０１については、遊技盤８０側の開放端及びその周辺での固定強度が同内レール１０１における他の部位と比べて低くなりやすい。このため、遊技球の衝突による衝撃の影響が同内レール１０１の開放端及びその周辺では大きくなりやすいと想定される。仮に、内レール１０１が変形等した場合には、アウト口８６へ向けての遊技球の円滑な誘導が妨げられると懸念される。この点、本実施の形態では、内レール１０１が下方に押される等した場合に遊技領域区画部材４８０の対向部４８５に当たることで、同内レール１０１の変形や位置ずれ等が抑制されることとなる。故に、遊技領域区画部材４８０によって内レール１０１を保護することができ、上記不都合を好適に払拭できる。言い換えれば、遊技領域区画部材４８０には、内レール１０１のバックアップ機能が付与されている。
【００５４】
また、遊技領域区画部材４８０において対向部４８５を挟んで内レール１０１とは反対側となる部位には、各パチンコ機毎に固有となる識別情報（製造番号等）が付与された証紙４９２と同証紙４９２を収容する透明なケース部材４９３とからなる識別ユニット４９４が設けられており、遊技領域区画部材４８０には識別ユニット４９４を収容するユニット収容部４８６が形成されている。このユニット収容部４８６に識別ユニット４９４が嵌まった状態で固定されることで、両者が一体化されている。
【００５５】
識別ユニット４９４はユニット収容部４８６に対して後方から嵌め込まれており、同ユニット収容部４８６に形成された開口を介してその一部がパチンコ機１０の前方に露出した状態となっている。この開口を介して上記証紙４９２に付与された識別情報を視認可能となっている。つまり、識別ユニット４９４を遊技領域区画部材４８０から取り外すことなく証紙４９２の識別情報を確認することが可能となっている。
【００５６】
遊技領域区画部材４８０が対向部４８５を有する構成を採用した場合には、遊技領域区画部材４８０における対向部４８５周りでの強度を向上させることで上述した誘導レールのバックアップ機能を向上することができる。このような強度の向上を実現するには、遊技領域区画部材４８０を大型化することが１つの手法として考えられる。この点、識別ユニット４９４を収容するユニット収容部４８６を遊技領域区画部材４８０に設け、それらユニット収容部４８６と対向部４８５とを併存させることで、遊技領域区画部材４８０の占有スペースを有効利用している。つまり、遊技領域区画部材４８０の強度向上と識別手段の設置領域の確保（すなわちスペースの有効利用）を可能とし、実用上好ましい構成を実現している。
【００５７】
また、遊技領域区画部材４８０については遊技盤８０からの着脱を特に必要としない部品であるため、その取り付けを強固にすることが可能である。この遊技領域区画部材４８０によって識別ユニット４９４の取り外しを阻止することで、識別ユニット４９４の不正な取り外し等を抑制し防犯性の向上に貢献できる。例えば、識別ユニット４９４を遊技領域区画部材４８０とは別の部材を用いて遊技盤８０に装着する構成と比較して、遊技盤８０の前面側のスペースを有効利用できる。遊技盤８０の前面には遊技領域ＰＥが形成され、遊技領域ＰＥ外の領域が限られている点を考慮すれば、遊技領域区画部材４８０に識別ユニット４９４用のユニット収容部４８６を設けることによる技術的貢献度は大きいと考えられる。
【００５８】
再び図５を参照して説明すれば、樹脂ベース７０には、遊技盤収容部７３からの遊技盤８０の取り外しを不可とするロック状態と、同遊技盤８０の取り外しを許容するアンロック状態とに切替可能なロック装置７９が複数設けられている。ロック装置７９はロック状態にて遊技盤８０の前面に当接する当接部を有しており、同当接部が遊技盤８０の前面に当接することによって遊技盤８０の前面扉１４側への変位が抑えられることとなる。
【００５９】
樹脂ベース７０において発射レール１１２の左方（詳しくは前面扉１４を支持している側）には、樹脂ベース７０を前後方向に貫通する貫通孔に通路形成部材１２１が配設されている。通路形成部材１２１は、樹脂ベース７０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前面扉１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている（図５参照）。
【００６０】
樹脂ベース７０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース７０によって支持されている。また、樹脂ベース７０にはシャッタ１２４を阻止位置に向けて付勢する付勢部材が取り付けられており、前面扉１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前面扉１４を開放した場合に、その貯留球がこぼれ落ちてしまうといった不都合が回避されている。これに対し、前面扉１４を閉じた状態では、前面扉１４の通路形成ユニット５０に設けられた受口部５３により上記付勢力に抗してシャッタ１２４が許容位置に押し戻される。この状態では、本体側上皿通路１２２及び前扉側上皿通路５１と、本体側下皿通路１２３及び前扉側下皿通路５２とがそれぞれ連通し、遊技球の移動が許容されることとなる。
【００６１】
次に、図７に基づき内枠１３（樹脂ベース７０及び遊技盤８０）の背面構成について説明する。図７は内枠１３の背面図である。
【００６２】
樹脂ベース７０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース７０の背面には、裏パックユニット１５を内枠１３に固定するための固定レバー１３４が複数設けられている。
【００６３】
樹脂ベース７０における遊技盤収容部７３の底部分（後述する対向板部２５１）には樹脂ベース７０の厚さ方向に貫通し同樹脂ベース７０の背面側に開放された中央開口７４が形成されており、その中央開口７４が遊技盤収容部７３に収容された遊技盤８０によって内枠１３の正面側から覆われている。遊技盤８０の背面には制御装置等の各種構成が搭載されており、それら各種構成は中央開口７４を通じて内枠１３の背側に露出した状態となっている。ここで、図８に基づき遊技盤８０の背面の構成について詳細に説明する。図８は遊技盤８０を後方から見た斜視図である。
【００６４】
遊技盤８０の背面には、可変表示ユニット８５を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース７０の中央開口７４を通じて同樹脂ベース７０の背面側に突出しており、その突出した部分に対して上述した図柄表示装置９４と、その図柄表示装置９４を駆動するための表示制御装置とが取り付けられている。これら図柄表示装置９４及び表示制御装置は前後方向（樹脂ベース７０の厚さ方向）に図柄表示装置が前側且つ表示制御装置が後側となるように重ねて配置されている。さらに、遊技盤８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００６５】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００６６】
音声ランプ制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００６７】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００６８】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００６９】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００７０】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００７１】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００７２】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１６２に対して電気的に接続されており、各スイッチによる検知情報が同主制御装置１６２に出力される構成となっている。
【００７３】
次に、図９及び図１０に基づき裏パックユニット１５について説明する。図９はパチンコ機１０の背面図、図１０は裏パックユニット１５の正面図である。
【００７４】
図９に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００７５】
裏パック２０１は透明性を有する合成樹脂により成形されており、図１０に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図９参照）。
【００７６】
ベース部２１１には、その右上部に外部端子板（図示略）が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００７７】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００７８】
遊技球分配部２２５は、払出装置２２４より払い出された遊技球を上皿２７ａ、下皿２８ａ又は後述する排出通路の何れかに振り分けるための機能を有し、内側の開口部が上述した本体側上皿通路１２２及び前扉側上皿通路５１を介して上皿２７ａに通じ、外側の開口部が本体側下皿通路１２３及び前扉側下皿通路５２を介して下皿２８ａに通じるように形成されている（図７及び図１４参照）。
【００７９】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８０】
図１０に示すように、制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００８１】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００８２】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル２９の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【００８３】
（遊技盤８０の取付構造）
ここで、図５，図１１及び図１２に基づき遊技盤８０の取付構造について説明する。図１１は内枠１３から遊技盤８０を取り外した状態を示す斜視図、図１２は図５のＡ−Ａ線部分断面図である。
【００８４】
遊技盤８０は、既に説明したように内枠１３の遊技盤収容部７３に対して同内枠１３の正面側から嵌まっている（図５参照）。図１１に示すように、遊技盤収容部７３は、遊技盤８０の背面に対向する平板状の対向板部２５１と、同対向板部２５１から起立し遊技盤８０の周縁に沿って延びる周壁部２６１とによって構成されている。対向板部２５１は、その略中央に上述した中央開口７４が形成されて内枠１３の正面視において略矩形枠状をなしている。周壁部２６１は、遊技盤８０における上下左右の各端面に対して個々に対向する上側壁部２６２，下側壁部２６３，左側壁部２６４，右側壁部２６５が連なってなり、全体として遊技盤８０を囲む環状をなしている。なお、周壁部２６１は中央開口７４を囲むようにして形成されているとも言える。
【００８５】
内枠１３の左側壁部２６４、すなわち前面扉１４を支持している側の壁部２６４には、遊技盤８０の前方への変位を抑える複数のストッパ部２７１が設けられている。各ストッパ部２７１は、左側壁部２６４の内壁面から遊技盤収容部７３側へ張り出しており、遊技盤８０（詳しくは後述する第２レールカバー４００）に対してパチンコ機１０の前方から当接している。また、各ストッパ部２７１は、遊技盤収容部７３内に収められており、前面扉１４側への突出が抑えられている。
【００８６】
それらストッパ部２７１は、遊技盤８０の上端寄り及び下端寄りとなる位置に配置されており、遊技盤８０の変位をバランスよく抑えることが可能となっている。ストッパ部２７１の配置に関して補足すれば、上端寄りのストッパ部２７１Ｕは、上記誘導レール１００において遊技盤８０の回動基端側に凸となっている部分よりも上側に配置されており、下端寄りのストッパ部２７１Ｌは同凸となっている部分よりも下側に配置されている。これにより、ストッパ部２７１及び誘導レール１００を遊技盤８０の前面側にて好適に共存させ、ストッパ部２７１の採用に起因した遊技領域ＰＥの圧迫を抑制している。
【００８７】
内枠１３には、左側壁部２６４の先端縁に沿うようにして金属製のプレート部材２８１が配設されている。プレート部材２８１は、内枠１３の上側枠部１３ａ及び下側枠部１３ｂの両枠部に跨って延びる長尺状をなしており、同プレート部材２８１の両端部分が内枠１３の左側枠部１３ｃに対して固定（ネジ止め）されているとともに、同プレート部材２８１の中間部分が上述したストッパ部２７１に対して固定（ネジ止め）されている。これにより、内枠１３において外枠１１や前面扉１４に連結されている部分を補強し、更にはストッパ部２７１の変形を抑制している。
【００８８】
以上詳述したストッパ部２７１と対向板部２５１とによって、遊技盤８０の一側部を挿入可能な挿入部２９０が構成されている（図１２参照）。挿入部２９０は、前面扉１４の回動基端側に位置し、内枠１３において同前面扉１４を支持している側とは反対側からの遊技盤８０の挿入を許容すべく同内枠１３の回動先端側（右側壁部２６５側）に開放されている。特にストッパ部２７１と対向板部２５１（詳しくは後述するリブを除いた部分）との隙間寸法は、遊技盤８０の厚さ寸法よりも大きく設定されている。これにより、遊技盤８０を挿入部２９０に対して斜め前方から挿入可能とするとともに、同挿入部２９０に挿入された遊技盤８０を当該挿入部２９０を中心として回動可能としている。また、挿入部２９０の挿入口を斜め前方に向けることにより、遊技盤挿入時に遊技盤８０が前面扉１４の後方への張出部分や内枠１３の右側枠部１３ｄ（図１１参照）等に干渉することを抑制している。
【００８９】
なお、ストッパ部２７１の先端部において遊技盤８０と対向している部位には面取りが施されており、挿入部２９０の入口部分が拡張されている。これにより、上記隙間寸法を大きくし、遊技盤８０を斜めに挿入する際のストッパ部２７１と遊技盤８０との引っ掛かりを抑制している。
【００９０】
挿入部２９０（ストッパ部２７１群）の下方、詳しくは内枠１３において左側壁部２６４と下側壁部２６３とが交わる位置には（図１１参照）、挿入部２９０に挿入された遊技盤８０を仮置き可能な仮置き部１２５が設けられている。仮置き部１２５は、上記通路形成部材１２１に形成され、挿入部２９０側（上方）を向く面状をなしている。なお、仮置き部１２５は、必ずしも通路形成部材１２１に形成する必要はなく、樹脂ベース７０に形成することも可能である。
【００９１】
仮置き部１２５は、遊技盤収容部７３の下側壁部２６３よりも上側に位置しているとともに、遊技盤８０の下端部に対して対向している。一方、遊技盤８０における回動基端側の下隅部にはこの仮置き部１２５に対応した切欠き部８８が形成されている（図６参照）。遊技盤８０を挿入部２９０に挿入し回動させる場合には、この仮置き部１２５に対して遊技盤８０の切欠き部８８が仮置き（一時的に載置）されることで同遊技盤８０の重量の少なくとも一部が内枠１３の樹脂ベース７０によって支えられることとなる。これにより、遊技盤８０を装着する際の作業負担を減らし、遊技盤８０の回動操作の容易化を図っている。
【００９２】
また、仮置き部１２５は、挿入部２９０によりも同挿入部２９０の開放先側に延びている。これにより、挿入部２９０に挿入する前に遊技盤８０を仮置き可能となっており、更なる作業の容易化に貢献している。
【００９３】
遊技盤８０を着脱する際には、内枠１３の正面側から作業が行われる。この際、言うまでも無く前面扉１４が開放された状態で作業が行われる。ここで、開放された前面扉１４と遊技盤８０及び挿入部２９０との位置関係について図１３に基づき説明を補足する。図１３は、開放された前面扉１４と遊技盤８０及び挿入部２９０との位置関係を示す概略図である。
【００９４】
図１３に示すように、前面扉１４は内枠１３に設けられた上記支持金具７１，７２によって回動可能に軸支されており、この軸支された部分（回動中心軸線ＣＬ）を中心として開閉される構成となっている。支持金具７２には前面扉１４の最大開放位置を規定する規定部７２ａが形成されている。前面扉１４が開放され、規定部７２ａに対して当たった場合には、それ以上の開放が不可となる。本実施の形態においては、前面扉１４の最大開放量が凡そ１００°に設定されている。これは、パチンコ機１０がホール等の島設備に設置された状態にて前面扉１４が開放された場合に、隣接して設けられた他の遊技機等に対して同前面扉１４が干渉しないように、また隣接する遊技機での遊技を妨げないようにするための工夫である。なお、前面扉１４の最大開放量は１００°に限定されるものではない。少なくとも遊技盤８０の着脱が許容される範囲であれば任意に設定してよい。
【００９５】
前面扉１４の回動中心軸線ＣＬは同前面扉１４の前面寄りに位置しており、前面扉１４を閉じた状態にて内枠１３の内側に当該前面扉１４の回動基端部分が嵌まり込む構成となっている。これにより、前面扉１４と内枠１３との境界部位（特に前面扉１４の回動基端側の境界部位）を介して不正具が挿入されるといった不都合を生じにくくし、防犯機能の強化を図っている。
【００９６】
この回動中心軸線ＣＬの後方に上記挿入部２９０が配置されている。前面扉１４は所定の厚さを有しているため、上述の如く最大開放位置まで開放された場合であってもその背面の一部が挿入部２９０よりも右側（前面扉１４を支持している側とは反対側）に張り出した状態となる。挿入部２９０は、その張出部分よりも奥まった位置に存在しているものの、遊技盤８０を出し入れする際に当該遊技盤８０の通過する軌道ＰＬと前面扉１４との干渉が回避されるようにしてその挿入口の向きが定められている。これにより、遊技盤８０を装着する際の前面扉１４の張り出し部分と遊技盤８０との干渉が抑えられている。
【００９７】
（誘導レール１００の保護に関する構成）
しかしながら、上述の如く挿入部２９０の挿入口の向きを工夫したとしても、上記干渉の発生機会を減らすことは可能ではあるが、遊技盤８０の挿入方向のばらつきや前面扉１４の開放不足等に起因した同干渉の発生を完全に払拭することは難しいと想定される。つまり、作業ばらつきに起因した干渉の発生を挿入口等の工夫のみで抑えることは難しいと考えられる。更には、遊技盤８０を着脱可能な構成を採用しているため、遊技盤８０の輸送時等に遊技盤８０をぶつける可能性もあり、遊技盤８０の保護機能には改善の余地がある。
【００９８】
特に、遊技領域ＰＥを区画している誘導レール１００については、遊技盤８０の前面から突出しているだけでなく同遊技盤８０において挿入部２９０側に位置しているため、同誘導レール１００等によって囲まれている釘８７等の各種構成と比較して、上記干渉の対象になりやすいと想定される。
【００９９】
既に説明したように誘導レール１００には遊技球発射機構１１０から発射された遊技球を遊技領域ＰＥに導く機能が付与されている。このため、誘導レール１００に上記干渉に起因した変形等が発生した場合には、上記遊技領域区画部材４８０に同様の変形が生じた場合と比較して、遊技球の動きに対する影響が大きくなると想定される。そこで、本実施の形態においては、第１レールカバー３５０及び第２レールカバー４００によって誘導レール１００を遊技領域ＰＥの外側から覆う構成とすることにより、誘導レール１００を上記干渉等から保護している。
【０１００】
第１レールカバー３５０及び第２レールカバー４００は、透明性を有する合成樹脂材料を用いて遊技盤８０とは別体で形成されており、図６に示すように同遊技盤８０の前面から前方へ突出した状態で当該遊技盤８０に固定されている。より詳しくは、両レールカバー３５０，４００は、遊技盤８０の前面において遊技領域ＰＥの外側となる領域、詳しくは遊技盤８０における挿入部２９０側の端部と誘導レール１００（詳しくは外レール１０２）との間に、第１レールカバー３５０が誘導レール１００の入口部分１０４寄りとなるように並べて配置されている。
【０１０１】
図６に示すように、第１レールカバー３５０は、遊技盤８０の前面と対向する（詳しくは面当たりする）平板状のベース部３６０を有している。ベース部３６０は、誘導レール１００の入口部分１０４から外レール１０２において挿入部側（左側）に凸となっている部分の頂部１０２ａの手前となる位置にまで外レール１０２に沿って延びている。ベース部３６０には、当該ベース部３６０から外レール１０２と同一側（すなわちパチンコ機１０の前方）に起立する起立部３７０が一体成形されている。起立部３７０は、外レール１０２に対して遊技領域ＰＥとは反対側から対向する壁状をなし、当該起立部３７０の前端縁が外レール１０２の前端縁よりも前方に突出するように形成されている。この起立部２７０によって、外レール１０２、すなわち上記誘導通路１０３を構成している部分が挿入部２９０側から覆われた状態となっている。
【０１０２】
第１レールカバー３５０よりも、誘導レール１００の出口部分１０５寄りとなる位置に第２レールカバー４００が配置されており、これら第１レールカバー３５０及び第２レールカバー４００によって誘導通路１０３のほぼ全域が遊技盤８０の挿入方向先側から覆われている。
【０１０３】
以下、図１４及び図１５に基づき第２レールカバー４００について詳しく説明する。図１４は図６の部分拡大図、図１５は第２レールカバー４００の構成を示す斜視図である。なお便宜上、図１４においては２点鎖線を用いて内枠１３を示し、図１５においては２点鎖線を用いて遊技盤８０を示している。
【０１０４】
図１４に示すように、第２レールカバー４００は、遊技盤８０の前面において遊技領域ＰＥの外側となる領域、詳しくは遊技盤８０における挿入部２９０側の端部と誘導レール１００（詳しくは外レール１０２）との間に配されており、同端部に沿って延びる縦長状をなしている。
【０１０５】
第２レールカバー４００は、第１レールカバー３５０と同様に、遊技盤８０の前面と対向する（詳しくは面当たりする）平板状のベース部４１０を有している。ベース部４１０は、遊技盤８０の縁部に沿って上下に延びており、同ベース部４１０の上端が外レール１０２において挿入部側（左側）に凸となっている部分の頂部１０２ａよりも上方、且つ同ベース部４１０の下端が頂部１０２ａよりも下方に位置するように形成されている。ベース部４１０における外レール１０２側の縁部は、その中央部分が同外レール１０２に沿って湾曲しており、外レール１０２とは反対側の縁部は遊技盤８０の縁部に沿って直線状に延びている。つまり、ベース部４１０は自身の長手方向における中央部分にて幅が狭くなるように括れている（図１５参照）。
【０１０６】
ベース部４１０には、当該ベース部４１０から外レール１０２と同一側（すなわちパチンコ機１０の前方）に起立する起立部４２０が一体成形されている。起立部４２０は、外レール１０２に対して遊技領域ＰＥとは反対側から対向する壁状をなし、当該起立部４２０の前端縁が外レール１０２の前端縁よりも前方に突出するように形成されている。この起立部４２０によって、外レール１０２において挿入部２９０側に凸となっている部分、すなわち上記誘導通路１０３を構成している部分が同挿入部２９０側から覆われた状態となっている。
【０１０７】
起立部４２０は、ベース部４１０における湾曲部分に沿って形成された湾曲部４２１を有している。湾曲部４２１は、外レール１０２に対して平行、且つ同外レール１０２との間に僅かな隙間が確保されるように構成されている。また、起立部４２０は、湾曲部４２１の上端から上方に延びているとともに、同湾曲部４２１の下端から下方に延びている。以下便宜上、起立部４２０において湾曲部４２１よりも上側となる部分を「上側起立部４２２」と称し、同湾曲部４２１よりも下側となる部分を「下側起立部４２３」と称する。
【０１０８】
上側起立部４２２及び下側起立部４２３は、上下に延びる平板状をなしており、上記頂部１０２ａから離れるにつれて外レール１０２との隙間が大きくなるように形成されている。この隙間の拡がりに合わせて、ベース部４１０が起立部４２０よりも外レール１０２側に延出している。つまり、湾曲部４２１がベース部４１０における外レール１０２側の縁部に沿って形成されているのに対して、上側起立部４２２及び下側起立部４２３はベース部４１０の幅方向における略中央に位置するように形成されている。以下便宜上、ベース部４１０において起立部４２０よりも外レール１０２側となる部分を「内側ベース部４１１」、同ベース部４１０において起立部４２０よりも挿入部２９０側となる部分を「外側ベース部４１２」と称する。
【０１０９】
図１３に示すように、内側ベース部４１１及び外側ベース部４１２には第２レールカバー４００の固定手段を構成するネジ孔４１３，４１４が形成されている。これらネジ孔４１３，４１４に挿通されたネジ４１６，４１７（図１４参照）が遊技盤８０に対して螺着されることにより、第２レールカバー４００と遊技盤８０とが一体化されている。
【０１１０】
図１４に外側ベース部４１２に設けられているネジ孔４１４及びネジ４１７は、内側ベース部４１１に設けられているネジ孔４１３及びネジ４１６よりも湾曲部４２１寄りとなるように第２レールカバー４００の長手方向（上下方向）にずらして配されている。これは限られたスペースにて第２レールカバー４００の固定強度を向上させるための工夫である。
【０１１１】
上側起立部４２２における湾曲部４２１とは反対側の端部（上端部）には、挿入部２９０側に突出するアーム部４３０が形成されている。アーム部４３０は上記ストッパ部２７１の上面２７２と若干の隙間を挟んで対向しており、その対向している部分にはストッパ部２７１側に凸となる突起４３１が形成されている。この突起４３１に対応させてストッパ部２７１の上面２７２には下方に凹んだ受け部２７５が形成されており、その受け部２７５に突起４３１が引っ掛かった状態となっている。
【０１１２】
突起４３１において挿入部２９０側を向いている部分にはアーム部４３０の先端部分から根元部分に向けて下り傾斜する傾斜面４３２が形成されており、遊技盤８０を挿入部２９０に挿入する際には傾斜面４３２がストッパ部２７１の上面２７２及び側面２７３の境界部位に当たる。これにより、アーム部４３０が根元部分（上側起立部４２２と繋がっている部分）を基端として撓み変形し、突起４３１がストッパ部２７１の上面２７２へと導かれる。この後、アーム部４３０が弾性力によって変形前の状態に復帰することにより、突起４３１が受け部２７５に引っ掛かることとなる。このようにして突起４３１が受け部２７５に対して引っ掛かることにより、挿入部２９０からの遊技盤８０の脱落が阻止される。
【０１１３】
既に説明したように、突起４３１が受け部２７５に対して引っ掛かっている状態では、遊技盤８０がそれら突起４３１及び受け部２７５の引っ掛かり位置よりも回動先端側にて仮置き部１２５に載っている。つまり、遊技盤８０が仮置き部１２５によって支えられた状態にて、遊技盤８０の脱落が阻止されている。これにより、遊技盤８０の重さ等による負荷が突起４３１や受け部２７５に集中することを好適に回避している。
【０１１４】
ここで、図１２及び図１４に基づき第２レールカバー４００と挿入部２９０との関係について補足説明する。図１４に示すように、遊技盤８０が内枠１３に対して装着された状態では、挿入部２９０（詳しくはストッパ部２７１）が第２レールカバー４００の上側起立部４２２及び下側起立部４２３の側方に位置し、第２レールカバー４００の外側ベース部４１２が挿入部２９０に嵌まっている。
【０１１５】
外側ベース部４１２は、ストッパ部２７１の背面２７４に対してパチンコ機１０の後方から当接している。外側ベース部４１２においてストッパ部２７１に当接している部分には、起立部４２０とは反対側（遊技盤８０側）に突出する突出部４４０が一体成形されている。突出部４４０は遊技盤８０の厚さ方向に延びる筒状をなしており、遊技盤８０にはこれら突出部４４０が嵌合する嵌合孔８９が形成されている。嵌合孔８９は遊技盤８０の前面側及び背面側に開放されており、突出部４４０の先端部分が同嵌合孔８９を通じて遊技盤８０の背面側に突出している。
【０１１６】
突出部４４０には第２レールカバー４００（詳しくは起立部４２０等）に加わった負荷を当該突出部４４０を通じて遊技盤８０へ分散させる分散機能が付与されており、第２レールカバー４００の特定箇所に負荷が集中することを抑制している。特に突出部４４０は、第２レールカバー４００の長手方向に拡がる縦長状をなしていることで、起立部４２０に対して同起立部４２０の根元部分を基端とした傾きが生じるような負荷が加わった場合に、そのような負荷を好適に分散させることが可能となっている。
【０１１７】
図１２に示すように、内枠１３の対向板部２５１においてストッパ部２７１よりも遊技盤８０の回動先端寄りとなる部分、詳しくは中央開口７４側の縁部には、同縁部から前方に起立するリブが形成されており、このリブに対して突出部４４０が当接している。このように、突出部４４０の先端部分が対向板部２５１のリブに当接することで、遊技盤収容部７３の奥側への遊技盤８０の変位が規制されている。
【０１１８】
本実施の形態においては特に、挿入部２９０の前後幅寸法が遊技盤８０の厚さ寸法、詳しくはベース部４１０の前面から突出部４４０の先端までの前後寸法よりも僅かに小さく設定されており、遊技盤８０を装着完了位置に配置した状態では、遊技盤８０が挿入部２９０に対して強干渉した状態となる。このように、挿入部２９０に対して遊技盤８０を強干渉させることにより、遊技盤８０の前後位置のばらつきを抑えることが可能となっている。
【０１１９】
しかしながら、このような構成を採用する場合、挿入部２９０への遊技盤８０の挿入が難しくなることは好ましくない。そこで、上述の如く第２レールカバー４００のベース部４１０とストッパ部２７１との当接箇所よりも、同第２レールカバー４００の突出部４４０と対向板部２５１のリブとの当接箇所のほうが、遊技盤８０の回動先端側に位置する構成とすることにより、遊技盤８０の挿入を容易化しつつ、装着完了位置に配置した状態での位置ばらつきを好適に抑制することが可能となっている。
【０１２０】
（隙間の拡がり規制に関する構成）
本実施の形態においては特に、遊技盤８０が装着された状態、すなわち同遊技盤８０の前後位置がストッパ部２７１や上記ロック装置７９によって規定されている状態にて前面扉１４が閉じている場合に、当該遊技盤８０とガラスユニット３０（詳しくはガラスパネル３２）との隙間の拡がりを規制する規制機構を備えていることを特徴の１つとしている。以下、図１２，図１３，図１６及び図１７に基づき規制機構について詳しく説明する。図１６は第２レールカバー４００とガラスユニット３０との位置関係を示す概略図、図１７は図５のＢ−Ｂ線部分断面図である。なお、図１６においては、便宜上ガラスユニット３０の一部を２点鎖線及びドットハッチングを用いて表している。また、図１７においては、便宜上前面扉１４に関する構成についても併せて表示している。
【０１２１】
図１２に示すように、起立部４２０の湾曲部４２１には、その前端縁から外レール１０２側に突出し、遊技盤８０に対して同外レール１０２を挟んで対向する対向部４５０が形成されている。対向部４５０は、上側起立部４２２と下側起立部４２３とに跨るように形成さており、湾曲部４２１の補強機能が付与されている。
【０１２２】
図１６に示すように、対向部４５０は、湾曲部４２１の中央寄りに配された第１対向部４５１と、両起立部４２２，４２３寄りに配された第２対向部４５２，４５３とを有している。より詳しくは、対向部４５０は、図１３に示すように、第１対向部４５１が遊技盤８０側且つ第２対向部４５２，４５３が前面扉１４側となる段差状に形成されている。
【０１２３】
図１７に示すように、第１対向部４５１は外レール１０２の前端縁に対して僅かな隙間を隔てて対向しており、第２対向部４５２，４５３は同外レール１０２の前端縁に対して第１対向部４５１よりも大きな隙間を隔てて対向している。この外レール１０２と第２対向部４５２との隙間に前面扉１４の一部が嵌まっている。
【０１２４】
より具体的には、既に説明したように前面扉１４のガラスホルダ３３は遊技盤８０の外周縁に沿って形成された環状をなしており、遊技盤８０の前方に配されている。ガラスホルダ３３の枠部３４は、同枠部３４における遊技盤８０側の縁部が第２レールカバー４００の対向部４５０よりも遊技盤８０の前面寄りとなるように、ガラスユニット設置部２２から遊技盤８０側に張り出している。枠部３４において第２レールカバー４００に遊技領域ＰＥ側から対向している部分には、同第２レールカバー４００へ向けて延出する延出部３９が形成されている。
【０１２５】
延出部３９は、枠部３４の外壁面から第２レールカバー４００の湾曲部４２１へ向けて延びる平板状をなしており、少なくともその先端部分が第２対向部４５２と外レール１０２との隙間に嵌まっている。延出部３９の板面は、遊技盤８０及びガラスユニット３０の並設方向（前後方向）と直交しているとともに、第２対向部４５２に対して僅かな隙間を隔ててパチンコ機１０の後方から対向している。また、同延出部３９の板面は後側のガラスパネル３２の後側の板面と略同一の仮想平面上に位置している。つまり、延出部３９と後側のガラスパネル３２とが略面一となるように形成されている。なお、延出部３９が第２対向部４５２に対してパチンコ機１０の後方から当接する構成とすることも可能である。
【０１２６】
ガラスユニット３０及び遊技盤８０のうち少なくとも一方が他方から遠ざかる側に変位した場合には、延出部３９が第２対向部４５２に当接し、ガラスユニット３０（詳しくは後側のガラスパネル３２）と遊技盤８０との隙間の拡がりが規制される。特に延出部３９の先端部分は、湾曲部４２１に沿うように湾曲しており、第２対向部４５２，４５３に対する掛かり代ができるだけ大きくなるように工夫されている。
【０１２７】
以上詳述した、第１規制機構は前面扉１４の開閉動作に基づいて、隙間の拡がりを規制する規制状態と隙間の拡がりを規制しない規制解除状態とに切り替えられることとなる。ここで、図１８に基づき、前面扉１４の内枠１３に対する開閉動作に伴う第１規制機構の状態切替について説明する。図１８は、前面扉１４の開閉時におけるガラスユニット３０と遊技盤８０との位置関係を示す概略図である。
【０１２８】
図１８（ａ）に示すように前面扉１４が開放されている状態では、ガラスユニット３０の延出部３９が誘導レール１００と第２レールカバー４００との隙間から外れており、上述した隙間の拡がりが許容された状態、すなわち規制解除状態となっている。
【０１２９】
前面扉１４を図１９（ａ）に示す開位置から図１８（ｂ）に示す閉位置に向けて回動させると、この前面扉１４の動きに追従して延出部３９がパチンコ機１０の斜め後方へ向けて移動する。この際、延出部３９は回動中心軸線ＣＬよりも後側に位置しているため、同前面扉１４の開放量が小さくなるに従って後方への移動成分が小さくなるとともに回動基端側（本実施の形態においては左方）への移動成分が大きくなるようにして延出部３９の移動方向が変化する。つまり、前面扉１４が閉位置へ向けて移動するにつれて、延出部３９の移動成分のうち横方向への移動成分が支配的となる。そして、延出部３９が誘導レール１００と第２レールカバー４００との間に挿入される時点では、後方への移動成分がほぼ０となり、同延出部３９の移動方向が遊技盤８０の前面に沿う方向となるように変化する。
【０１３０】
その後、図１８（ｂ）に示すように前面扉１４が閉位置に到達すると、これと同期して延出部３９が第２レールカバー４００の対向部４５０（詳しくは第２対向部４５３）と平行な位置へ到達する。これにより、上述した隙間の拡がりを規制する規制状態への切り替えが完了する。
【０１３１】
一方、前面扉１４を開放する際には、図１８（ｂ）→図１８（ａ）に示すように、延出部３９が誘導レール１００と第２レールカバー４００との隙間から離脱する。この際、前面扉１４の開放量が小さい場合には、延出部３９が第２レールカバー４００の第２対向部４５３に沿って横方向（本実施の形態においては右方）に変位し、開放量が大きくなるにつれて横方向への移動成分が減少しつつ前方への移動成分が増加することとなる。つまり、延出部３９は、上記隙間から離脱するまではほぼ真横に移動し、同隙間から離脱した後は前方への移動成分が増すことで斜め前方へ移動することとなる。これにより、延出部３９は第２対向部４５３に引っ掛かることなく、誘導レール１００と第２レールカバー４００との隙間から遠ざかる。
【０１３２】
以上詳述したように、延出部３９の移動方向が前面扉１４の開放量が小さくなるにつれて遊技盤８０の前面に沿う方向となるように推移させることで、同延出部３９と第２対向部４５３とを前後方向（内枠１３と前面扉１４との並設方向）にて対向させつつ、それら両者の隙間を小さくすることが可能となっている。これにより、隙間の拡がりを規制する機能を好適なものとしている。
【０１３３】
ガラスユニット３０と遊技盤８０との隙間の拡がり規制については、前面扉１４の回動基端側だけでなく、回動先端側において実施することにより、その効果を一層好適なものとすることができる。但し、上述したような前面扉１４の開閉動作に応じた第１規制機構の状態切替は、延出部３９及び対向部４５３を前面扉１４の回動基端部寄りに配することで好適に実現されている。言い換えれば、これと同様の構成を前面扉１４の回動先端部寄りに配することは困難であると想定される。そこで、本実施の形態においては、前面扉１４の回動先端部寄りとなる位置に、上記第１規制機構とは異なる構成を有する第２規制機構を配し、内枠１３に設けられた上記施錠装置に対して第２規制機構を連動させることにより、上記状態切替の困難さを克服している。
【０１３４】
以下、先ず図２，図１９〜図２２に基づき施錠装置５００について詳細に説明し、その後、同施錠装置５００との関係を踏まえて第２規制機構について詳しく説明する。図１９は内枠１３から遊技盤８０を取り外した状態を示す斜視図、図２０は内枠１３から施錠装置５００を取り外した状態を示す斜視図、図２１は施錠装置５００を後方から見た斜視図、図２２は施錠装置５００を主要構成部品毎に分解して示す分解斜視図である。なお、図２１及び図２２においては各図２１，２２の左上がパチンコ機１０の前方、右下がパチンコ機１０の後方、右上がパチンコ機１０の左方、左下がパチンコ機１０の右方となっている。
【０１３５】
図２に示すように、施錠装置５００は、内枠１３において前面扉１４と対向している部分、すなわち内枠１３の前面に設けられている。具体的には、図１９及び図２０に示すように内枠１３において前記遊技盤収容部７３よりも遊技機主部１２の回動先端側となる部位には内枠１３の回動先端側の端部に沿って施錠装置収容部７５が形成されており、当該施錠装置収容部７５に施錠装置５００が収容された状態となっている。
【０１３６】
施錠装置収容部７５は、図２０に示すように内枠１３における上側枠部１３ａ及び下側枠部１３ｂの両者に跨って延び、内枠１３の正面側に開放された溝状をなしている。施錠装置５００は、施錠装置収容部７５の開放部分を覆う長尺状の基枠５１０を備えており、当該基枠５１０と施錠装置収容部７５とによって施錠装置５００に関する各種構成を収容する空間が区画形成されている。遊技盤収容部７３と施錠装置収容部７５とは左右に並設されており、内枠１３に形成された上記右側壁部２６５によって仕切られている。言い換えれば、右側壁部２６５は、各収容部７３，７５の一部を構成している。
【０１３７】
施錠装置収容部７５には、その奥側の壁部（以下、「奥壁部３０１」と称する）から起立する複数のボス３０２が設けられており、基枠５１０にはそれらボス３０２に固定される基枠固定部５１１が設けられている。基枠固定部５１１がボス３０２の先端部分に当接した状態にてそれらボス３０２に内枠１３の正面側からネジ止めされることにより、施錠装置５００と内枠１３とが一体化されている。
【０１３８】
基枠固定部５１１は、ボス３０２を挟んで奥壁部３０１と対向するとともに、施錠装置収容部７５の開放部分に合せて形成された長板状をなしている。この基枠固定部５１１によって同開放部分が覆われ、施錠装置収容部７５の内部空間へのアクセスが妨げられている。
【０１３９】
図２０に示すように、基枠固定部５１１の両長辺のうち遊技盤収容部７３側の一方（図２１における右端縁）には施錠装置５００に関する各種構成が取り付けられた部材取付部５１５が設けられている。部材取付部５１５は、基枠固定部５１１の端部を折り曲げて形成されており、奥壁部３０１側に起立している。また、基枠固定部５１１の他方の長辺には、部材取付部５１５と対向するように折り曲げられたフランジ部５１６が形成されている。つまり、基枠５１０は全体として水平断面略コ字状をなしている。これら部材取付部５１５及びフランジ部５１６によって、施錠装置５００自体の剛性を確保するだけでなく、内枠１３を補強する補強部材としての機能を高めることが可能となっている。
【０１４０】
図２１に示すように部材取付部５１５及びフランジ部５１６は基枠固定部５１１とほぼ同等の長さを有する長板状をなしており、それら両者の外板面が施錠装置収容部７５の内壁面に当接するように形成されている。これにより、基枠５１０を迂回して施錠装置収容部７５の内部空間へアクセスするといった不正行為を困難なものとしている。なお、部材取付部５１５及びフランジ部５１６が施錠装置収容部７５の内壁面に対して当接しない構成とすることも可能である。
【０１４１】
基枠固定部５１１の下端部寄りとなる部分には、解除操作部たるシリンダ錠５２０が取り付けられている。図２２等に示すように、シリンダ錠５２０は、基枠固定部５１１において奥壁部３０１とは反対側の板面（外面）に取り付けられている台座５２１と、その台座５２１からパチンコ機１０の前方に向けて延びる円筒状のシリンダ本体５２２と、そのシリンダ本体５２２の内部に収容された錠軸部５２３とを有しており、台座５２１に対して内枠１３の正面側から複数のネジ５２７が取り付けられることで基枠５１０に一体化されている。
【０１４２】
シリンダ本体５２２の一端及び錠軸部５２３の一端は、前面扉１４（詳しくは枠体２０）に形成された挿通孔を介してパチンコ機１０の正面側に露出している（図１参照）。錠軸部５２３においてパチンコ機１０の正面側に露出している側の端部にはキー孔５２４が形成されている。このキー孔５２４に対して解錠操作用の操作キーを挿入し、同操作キーを錠軸部５２３の中心軸線を中心として回動させることで、パチンコ機１０外部からの解錠操作が行われる。
【０１４３】
錠軸部５２３の他端は、基枠固定部５１１に形成された錠軸部５２３用の開口を介して施錠装置収容部７５内に露出しており、その露出している部分にはカム部材５３０が装着されている。カム部材５３０は、図２２に示すように、内枠１３の背面側から螺着されたネジ５３１によって錠軸部５２３に着脱可能な状態で固定されており、上述したキー操作に伴って錠軸部５２３が回動した場合に同錠軸部５２３と共に回動する。本実施の形態におけるシリンダ錠５２０においては特に、操作キーによる解錠操作が行われない限り錠軸部５２３を回動させることができない内部構造を有しており、カム部材５３０を指等で直接回動させることが不可となっている。なお、シリンダ錠５２０として、不正解錠防止機能の高いオムロック（登録商標）を用いる構成としてもよい。
【０１４４】
カム部材５３０は、基枠固定部５１１と平行な円板状部分を有しており、その円板状部分の周縁において前記部材取付部５１５側となる部分には、略放射方向に突出する上下一対の爪部５３２，５３３が形成されている。
【０１４５】
施錠装置５００は、カム部材５３０の動作（詳しくは爪部５３２，５３３の変位）に追従して移動する連動杆５４０を備えている。連動杆５４０は、基枠５１０に沿って延びる長板状をなすとともに同基枠５１０と同等の長さを有し、部材取付部５１５によって当該基枠５１０の長手方向にスライド移動可能な状態で保持されている。また、連動杆５４０には、カム部材５３０の爪部５３２，５３３と係合する係合孔５４１，５４２が形成されている。各爪部５３２，５３３が係合孔５４１，５４２に係合した状態で回動することで、それら爪部５３２，５３３によって連動杆５４０が基枠５１０の長手方向（すなわち上方及び下方）に押される。つまり、キー操作によって発生する外力が錠軸部５２３→カム部材５３０→連動杆５４０の順に伝達され、連動杆５４０が上下にスライド移動することとなる。
【０１４６】
本実施の形態におけるシリンダ錠５２０においては、既に説明したようにキー操作によってのみ錠軸部５２３及びカム部材５３０の回動が許容される。連動杆５４０をスライドさせようとしてもカム部材５３０の爪部５３２，５３３と連動杆５４０の係合孔５４１，５４２とが係合することにより、当該連動杆５４０の移動が阻止される。つまり、施錠装置５００においては、カム部材５３０や連動杆５４０を動作させる場合にはキー操作が不可欠な構成となっている。
【０１４７】
基枠５１０においてシリンダ錠５２０の上方となる部位、詳しくは遊技盤８０の側方となる部位には、前面扉１４の鉤受け部材６３に引っ掛かる施錠位置と、同鉤受け部材６３に引っ掛からない施錠解除位置との両位置に切替可能な前扉用鉤部材５５０が複数（詳しくは２つ）設けられている。前扉用鉤部材５５０は基枠固定部５１１において奥壁部３０１側を向いた板面に搭載されており、同板面と対向する板状のベース部５５１と当該ベース部５５１から前面扉１４側に起立する鉤部５５５とを備えている。基枠固定部５１１には、鉤部５５５の前面扉１４側への突出を許容するスリット５１２が形成されており、鉤部５５５において同スリット５１２から突出している部分は上方に凸となる爪状をなしている。この爪状部分が鉤受け部材６３に対して下側から引っ掛かることにより前面扉１４が施錠された状態となっている。
【０１４８】
ベース部５５１には、基枠５１０の長手方向（つまり連動杆５４０のスライド方向）に延びる長孔５５２が形成されており、基枠固定部５１１にはその長孔５５２に嵌まる軸ピン５１３が取り付けられている。この軸ピン５１３によって前扉用鉤部材５５０がスライド移動可能な状態で保持されている。より詳しくは、長孔５５２は、軸ピン５１３から上方に延びており、前扉用鉤部材５５０の下方への移動、すなわち鉤受け部材６３から離れる側への移動が許容されている。
【０１４９】
ベース部５５１において部材取付部５１５側の端部には、同部材取付部５１５に沿って起立する起立部５５３が形成されている。起立部５５３が、連動杆５４０と部材取付部５１５とによって挟まれることにより、前扉用鉤部材５５０の倒れや位置ばらつき等が抑制されている。
【０１５０】
起立部５５３の先端部分には、連動杆５４０側に凸となる突起５５４が形成されており、当該突起５５４の先端部分が連動杆５４０に形成された開放部５４３から突出している。突起５５４の先端部分には、付勢部材としてのコイルバネ５６０が取り付けられており、同コイルバネ５６０によって前扉用鉤部材５５０が施錠位置に向けて（上方に）付勢された状態となっている。この付勢方向の先側から長孔５５２の下端縁が軸ピン５１３に対して当接することで、前扉用鉤部材５５０の移動が妨げられ、コイルバネ５６０の付勢力により前扉用鉤部材５５０が施錠位置にて保持されている。なお、前扉用鉤部材５５０における付勢部材の取付部としては、上記突起５５４に代えて孔部等を用いてもよい。
【０１５１】
連動杆５４０がスライド移動すると、開放部５４３の上端縁によって突起５５４が押され、前扉用鉤部材５５０がコイルバネ５６０の付勢力に抗して施錠位置から施錠解除位置に移動することとなる。
【０１５２】
前扉用鉤部材５５０は、基枠固定部５１１において前面扉１４と対向する部位に上下に離して配置されている。詳しくは、それら前扉用鉤部材５５０は、基枠固定部５１１の上端側とシリンダ錠５２０側との両端に寄った位置、具体的には遊技盤８０の上端部及び下端部寄りとなる位置にそれぞれ配置されており、前面扉１４を施錠している状態での同前面扉１４の浮き上がりを抑制しやすくしている。なお、前扉用鉤部材５５０の個数は２つに限定されるものではなく、例えば１つとしてもよいし、３つ以上とすることも可能である。但し、前扉用鉤部材５５０を１つとした場合、一方の手で不正具を操ることで施錠状態が不正に解除され、他方の手で前面扉１４が開放（回動）され得る。この点、前扉用鉤部材５５０を２つ以上とすることで、不正解錠に両の手を必要とし、例えば不正行為者が単独である場合には、前面扉１４の開放を難しくすることができる。これにより、不正行為（いわゆる引っ掛けゴト）を好適に抑制することができる。
【０１５３】
次に、図７，図２１及び図２２に基づき遊技機主部１２を外枠１１に対して閉じた状態で施錠する施錠機構について説明する。
【０１５４】
基枠５１０の部材取付部５１５には、内枠１３を外枠１１に対して閉じた状態で施錠する施錠状態と施錠解除状態とに切替可能な内枠用鉤部材６２０が取り付けられている。内枠用鉤部材６２０は、図２１に示すように、上側の前扉用鉤部材５５０よりも上方及び下側の前扉用鉤部材５５０（シリンダ錠５２０）よりも下方、詳しくは基枠５１０の両端にそれぞれ配置されている。
【０１５５】
図２２に示すように、内枠用鉤部材６２０には、部材取付部５１５の内板面に対向する板状をなし部材取付部５１５及び前記連動杆５４０によって挟まれたベース部６２１と、ベース部６２１から後方に延出する鉤部６２５とが形成されている。施錠装置収容部７５の奥壁部３０１には内枠１３の厚さ方向に貫通するスリット３０３が形成されており、鉤部６２５が同スリット３０３を介して内枠１３の背面側、詳しくは外枠１１側に突出している（図７参照）。
【０１５６】
鉤部６２５において内枠１３の背面側に突出している部分（すなわち鉤部５５５の先端）は、上方に凸となる爪状をなしている。この爪状部分が外枠１１に設けられた鉤受け部材１９に対して下方から引っ掛かることにより内枠１３が外枠１１に対して施錠された状態となる。
【０１５７】
内枠用鉤部材６２０は、部材取付部５１５に固定された軸ピン５１７によって部材取付部５１５の板面に沿った回動が許容された状態で軸支されている。ベース部６２１において、軸ピン５１７を挟んで鉤部６２５とは反対側の端部、すなわち基枠固定部５１１側の端部には、連動杆５４０側に起立する突起６２２が形成されている。連動杆５４０には、突起６２２との干渉を回避すべく切欠き５４４が形成されており、同切欠き５４４を通じて突起６２２の先端が突出している。
【０１５８】
突起６２２の先端部分には、内枠用鉤部材６２０を施錠位置に向けて付勢する付勢部材としてコイルバネが取り付けられている。上側の内枠用鉤部材６２０と、下側の内枠用鉤部材６２０とではこのコイルバネの取り回しが異なっている。詳しくは、上側の内枠用鉤部材６２０におけるコイルバネの取り回しが特徴的なものとなっている。そこで以下、図２３に基づいて上側の内枠用鉤部材６２０（以下、便宜上「内枠用上側鉤部材６２０Ｕ」と称する）におけるコイルバネ５６０（以下、便宜上「上側コイルバネ５６０Ｕ」と称する）の取り回しについて詳しく説明し、後に下側の内枠用鉤部材６２０（以下、便宜上「内枠用下側鉤部材６２０Ｌ」と称する）におけるコイルバネ６３０（以下、便宜上「下側コイルバネ６３０」と称する）の取り回しについて簡単に説明する。図２３は各鉤部材５５０Ｕ，６２０Ｕの位置関係を示す概略図である。なお、前扉用鉤部材５５０についても同様に、上側の前扉用鉤部材５５０を「前扉用上側鉤部材５５０Ｕ」と称し、下側の前扉用鉤部材５５０を「前扉用下側鉤部材５５０Ｌ」と称する。
【０１５９】
既に説明したように、基枠５１０の上端側においては、前扉用上側鉤部材５５０Ｕと内枠用上側鉤部材６２０Ｕとが前者が下側、後者が上側となるように隣接して配置されている。内枠用上側鉤部材６２０Ｕの突起６２２に取り付けられた上側コイルバネ５６０Ｕの他方の端部は、前扉用上側鉤部材５５０Ｕの突起６２２に取り付けられている。つまり、内枠用上側鉤部材６２０Ｕと前扉用上側鉤部材５５０Ｕとが上側コイルバネ５６０Ｕによって連結されている。
【０１６０】
上側コイルバネ５６０Ｕは、自身の自由長よりも長くなるように引き伸ばされた状態で取り付けられ、各鉤部材５５０Ｕ，６２０Ｕの突起５５４，６２２が互いに近づく側に付勢された状態となっている。つまり、上側コイルバネ５６０Ｕによって，両鉤部材５５０Ｕ，６２０Ｕを施錠位置に付勢する付勢力を常時発生させる構成となっている。
【０１６１】
本実施の形態においては特に、前扉用上側鉤部材５５０Ｕの突起５５４は、当該前扉用上側鉤部材５５０Ｕ（詳しくはベース部５５１）において内枠用上側鉤部材６２０Ｕの突起６２２とは反対側の端部に配置されている。具体的には、当該前扉用上側鉤部材５５０Ｕの鉤部５５５よりも更に下側に配置されている。このように、各鉤部材５５０Ｕ，６２０Ｕの突起５５４，６２２を遠ざけて配置することにより、上側コイルバネ５６０Ｕの全長を長くしやすくしている。なお、前扉用上側鉤部材５５０Ｕの突起５５４と、内枠用上側鉤部材６２０Ｕの突起６２２とをパチンコ機１０の平面視にて前後及び左右にずらして配置されており、上記上側コイルバネ５６０Ｕの全長拡大を促進している。
【０１６２】
特に内枠用上側鉤部材６２０Ｕの突起６２２については、当該内枠用上側鉤部材６２０Ｕの回動中心位置よりも僅かに下側となる位置に配置することで、上側コイルバネ５６０Ｕの全長を長くしつつ、付勢力による内枠用上側鉤部材６２０Ｕの回動の円滑さを損なわれにくくしている。
【０１６３】
一方、内枠用下側鉤部材６２０Ｌと前扉用下側鉤部材５５０Ｌとは、シリンダ錠５２０を挟んで上下両側に離して配置されている。これに合わせて、下側の各鉤部材５５０Ｌ，６２０Ｌについては別個独立したコイルバネ、つまりコイルバネ５６０Ｌ，６３０が設けられおり、両鉤部材５５０Ｌ，６２０Ｌが個々に付勢されている。
【０１６４】
なお、基枠５１０の下端寄りに両下側鉤部材５５０Ｌ，６２０Ｌをまとめて配置することで、上述した浮き上がり抑制機能を向上することも可能である。この場合、必然的にそれら両下側鉤部材５５０Ｌ，６２０Ｌの配置が両上側鉤部材５５０Ｕ，６２０Ｕと同様に相互に近づきやすくなる。この場合、それら上側鉤部材５５０Ｕ，６２０Ｕと同様に、下側の各鉤部材５５０Ｌ，６２０Ｌについても１のコイルバネによってそれら両鉤部材５５０Ｌ，６２０Ｌを連結するとよい。
【０１６５】
ここで、操作キーＫの回動操作に伴う施錠装置５００の動作について図２４及び図２５に基づき説明する。図２４は操作キーＫを時計回りに回動操作した状態を示し、図２５は操作キーＫを反時計回りに回動操作した状態を示している。また、図２４（ａ）及び２５（ａ）は施錠装置５００全体をパチンコ機１０の後方から見た斜視図、図２４（ｂ）及び図２５（ｂ）は基枠５１０に搭載された各種構成の動作を示す概略図である。
【０１６６】
図２４では操作キーＫをシリンダ錠５２０に差し込んで、時計回りに回動操作している。すると、操作キーＫの回動操作に連動してカム部材５３０の下側爪部５３３により連動杆５４０の下側係合孔５４２が押し上げられ、連動杆５４０が上昇する。この連動杆５４０の上昇に伴って同連動杆５４０の切欠き５４４（詳しくはその下端縁）により内枠用鉤部材６２０の突起６２２が上方に押される。これにより、各内枠用鉤部材６２０がコイルバネ５６０，６３０の付勢力に抗して回動し、同内枠用鉤部材６２０と鉤受け部材１９との引っ掛かり、すなわち施錠状態が解除される（図２４（ｂ）参照）。このように施錠状態が解除されることにより、外枠１１に対しての遊技機主部１２（内枠１３）の開放が許容される。その後、操作キーＫの回動操作を止めると、コイルバネ５６０，６３０の付勢力により、連動杆５４０及び内枠用鉤部材６２０が初期位置に復帰する。
【０１６７】
なお、コイルバネ５６０については、前扉用鉤部材５５０に取り付けられており、前扉用鉤部材５５０の上方への移動が基枠５１０の軸ピン５１３によって抑えられる。故に、連動杆５４０及び内枠用鉤部材６２０を初期位置に復帰させる付勢力が蓄えられるとともに、前扉用鉤部材５５０の施錠が維持される。
【０１６８】
図２５では操作キーＫをシリンダ錠５２０に差し込んで、反時計回りに回動操作している。すると、操作キーＫの回動操作に連動してカム部材５３０の上側爪部５３２により連動杆５４０の上側係合孔５４１が押し下げられ、連動杆５４０が下降する。この連動杆５４０の下降に伴って同連動杆５４０の開放部５４３（詳しくはその上端縁）により前扉用鉤部材５５０の突起５５４が下方に押される（図２５（ｂ）参照）。これにより、各前扉用鉤部材５５０がコイルバネ５６０の付勢力に抗して回動し、同前扉用鉤部材５５０と鉤受け部材６３との引っ掛かり解除される。以上の如く、各前扉用鉤部材５５０の引っ掛かりが解除されることで、前面扉１４の施錠状態が解除される。このように施錠状態が解除されることにより、内枠１３に対しての前面扉１４の開放が許容される。その後、操作キーＫの回動操作を止めると、コイルバネ５６０の付勢力により、連動杆５４０及び各前扉用鉤部材５５０が初期位置に復帰する。
【０１６９】
因みに、施錠装置５００の各種構成については、内枠１３と前面扉１４とによって囲まれた空間に配置されており、パチンコ機１０の外部からの同施錠装置５００に対するアクセスが制限されている。つまり、操作キーＫを用いて前面扉１４を開放させるといった正規の手順を踏むことなく施錠装置５００へアクセスすることを難しくし、防犯機能が強化されている。
【０１７０】
ここで、図２，図４，図１９，図２６及び図２７に基づき、施錠装置５００との関係を踏まえて第２規制機構について説明する。図２６は第２規制機構をパチンコ機１０の側方から見た概略図、図２７は図２７のＣ−Ｃ線部分断面図である。なお、図２６においては２点鎖線を用いて施錠装置５００の一部を示している。
【０１７１】
第２規制機構は、ガラスユニット３０に設けられたガラス側係合部材７００と、遊技盤８０（詳しくは上記遊技領域区画部材４８０）に設けられ、ガラス側係合部材７００に係合する遊技盤側係合部７５０とを有している。これらガラス側係合部材７００及び遊技盤側係合部７５０は、図２に示すように前面扉１４の回動先端寄りとなる位置、すなわち遊技領域ＰＥを挟んで上記第１規制機構とは反対側となる位置に配されている。
【０１７２】
同図２の部分拡大図及び図４の部分拡大図に示すように、ガラス側係合部材７００は前後方向に延びる長板状をなしており、同ガラス側係合部材７００の板面が左右を向くようにして配設されている。ガラスユニット３０のガラスホルダ３３には前後に開放されたスリット７２１を有する取付部７２２が一体形成されており、このスリット７２１に対してガラス側係合部材７００の一端部が挿入されている。ガラス側係合部材７００及び取付部７２２には、一連の貫通孔７０１，７２３が形成され（図２６参照）、これら貫通孔７０１，７２３に対して挿通されたネジ７３１がガラスホルダ３３の枠部３４に螺着されることにより、ガラス側係合部材７００が回動可能な状態で保持されている。
【０１７３】
図２６に示すように、ガラス側係合部材７００の上端縁、詳しくはスリット７２１に収容されている部分には、上方へ凸となる突起７０２が形成されている。この突起７０２がスリット７２１の内壁面（天壁）に対して下側から当接することにより、それ以上の回動を阻止されることとなる。また、スリット７２１には、ガラス側係合部材７００を上方に向けて付勢する付勢部材としての板バネが収容されており、当該板バネの付勢力によって上記突起７０２がスリット７２１の天壁に押し付けられた状態となっている。これにより、ガラス側係合部材７００の待機位置のばらつきが抑えられている。
【０１７４】
ガラス側係合部材７００の他端部（すなわち遊技盤８０側の端部）には上方に凸となる爪部７０３が形成されており、同ガラス側係合部材７００が上記ネジ７３１（詳しくは同ネジ７３１の中心軸線）を中心として回動することにより、爪部７０３が上下に移動する構成となっている。
【０１７５】
図５に示すように、ガラス側係合部材７００は、前面扉１４が内枠１３に対して閉じている場合に遊技盤８０の遊技領域区画部材４８０の前方に位置するように配置されており、遊技領域区画部材４８０にはガラス側係合部材７００の爪部７０３が係合するようにして上記遊技盤側係合部７５０が形成されている。具体的には、図２６に示すように、遊技領域区画部材４８０は後方に開放された箱状をなしており、その前板部４９６及び施錠装置側の板部（以下便宜上、側板部４９７と称する）に跨るように形成された開口部４９８を通じて遊技領域区画部材４８０の内部に爪部７０３が挿入されている。そして、爪部７０３が前板部４９６に対して後方から引っ掛かった状態（係合状態）となっている。つまり、遊技領域区画部材４８０の前板部４９６及び開口部４９８によって遊技盤側係合部７５０が構成されている。
【０１７６】
また、爪部７０３には、ガラス側係合部材７００の後端部（遊技盤８０側の先端部）に向けて下り傾斜する誘導傾斜面７０３ａが設けられている。一方、上記開口部４９８の上側縁部（前板部４９６の端部）は、前面扉１４が閉位置に向けて移動する際に誘導傾斜面７０３ａが通過する軌道上に位置しているため、前面扉１４を閉じる際に誘導傾斜面７０３ａが開口部４９８の上側縁部に押し付けられることとなる。これにより、当該誘導傾斜面７０３ａの傾斜によって上記板バネの付勢力に抗するようにしてガラス側係合部材７００が回動し、このようなガラス側係合部材７００の回動によって爪部７０３が開口部４９８へと誘導されることとなる。
【０１７７】
ガラス側係合部材７００において開口部４９８から施錠装置５００側に露出している部分には同施錠装置５００側に延びるフランジ部７０４が形成されている。このフランジ部７０４には、施錠装置５００の解錠動作に連動してガラス側係合部材７００と遊技盤側係合部７５０との係合を解除する機能が付与されている。ここで、図２６及び図２７に加え図２０及び図２２を参照して、フランジ部７０４と施錠装置５００との関係について詳しく説明する。
【０１７８】
図２２に示すように、施錠装置５００の前扉用鉤部材５５０（詳しくはベース部５５１）には、遊技盤収容部７３側に延出する延出部５５６が設けられている。図２０に示すように施錠装置５００の基枠５１０（詳しくは部材取付部５１５）には同延出部５５６に合わせて開口部５１８が形成され、更に遊技盤収容部７３及び施錠装置収容部７５を区画している右側壁部２６５にも延出部５５６に合わせて切欠き２６７が形成されており、これら開口部５１８及び切欠き２６７を通じて延出部５５６の先端部分が施錠装置収容部７５から突出している（図２７参照）。
【０１７９】
なお、前扉用鉤部材５５０は解錠操作に伴って上下にスライド移動する構成となっているが、上記開口部５１８及び切欠き２６７はこのような前扉用鉤部材５５０のスライド移動時に延出部５５６が通過する通過軌道との干渉を回避して形成されている。故に、延出部５５６が基枠５１０や右側壁部２６５に引っ掛かることはなく、前扉用鉤部材５５０のスライド移動が担保されている。
【０１８０】
延出部５５６の先端部分は、前扉用鉤部材５５０の施錠位置から施錠解除位置への移動経路上にフランジ部７０４が位置している。詳しくは、ガラス側係合部材７００のフランジ部７０４に対して上方から僅かな隙間を隔てて対向している。このため、前扉用鉤部材５５０が下方へスライド移動した場合には、当該前扉用鉤部材５５０の延出部５５６によってガラス側係合部材７００のフランジ部７０４が下方へ押されることとなる。これにより、ガラス側係合部材７００の爪部７０３が降下し、遊技領域区画部材４８０の前板部４９６に対する掛かり代が小さくなる。このように、延出部５５６に押されることでガラス側係合部材７００が動作する点に着目すれば、同延出部５５６にはガラス側係合部材７００を操作する操作部としての機能が付与されているといえる。なお、延出部５５６とフランジ部７０４との隙間を排除し、それら両者を当接させる構成としてもよい。
【０１８１】
ここで、ガラス側係合部材７００及び遊技盤側係合部７５０の掛かり代Ｘ１（図２６参照）と、前扉用鉤部材５５０及び鉤受け部材６３の掛かり代Ｘ２（図２４参照）との関係について補足説明する。因みに、図２６及び図２４においては、図の尺度が異なっているため、各図に示す掛かり代Ｘ１，Ｘ２については単純に比較できるものではない。
【０１８２】
ガラス側係合部材７００及び遊技盤側係合部７５０の掛かり代Ｘ１は、前扉用鉤部材５５０及び鉤受け部材６３の掛かり代Ｘ２よりも小さく設定されている。このため、上述した操作キーを用いて前面扉1４の施錠を解除する場合には、先ずガラス側係合部材７００及び遊技盤側係合部７５０の引っ掛かりが解除され、その後、前扉用鉤部材５５０及び鉤受け部材６３の引っ掛かりが解除されることとなる。前扉用鉤部材５５０及び鉤受け部材６３の引っ掛かりが解除された後に、ガラス側係合部材７００及び遊技盤側係合部７５０の引っ掛かりが解除される構成とすることも可能であるが、このような構成においては、ガラス側係合部材７００及び遊技盤側係合部７５０の引っ掛かりが解除されていない状態にて前面扉１４が無理に開放されることで、ガラス側係合部材７００及び遊技盤側係合部７５０に負荷が集中する可能性がある。これは、第２規制機構における隙間の拡がりを規制する機能の担保を難しくする要因となり得るため好ましくない。この点、各掛かり代Ｘ１，Ｘ２を上述の如く設定することにより、そのような不都合の発生を回避している。
【０１８３】
以下、図２８及び図２９に基づき第２規制機構の動作について説明する。図２８は前面扉１４を閉じる際の第２規制機構の動作を示す動作説明図、図２９は前面扉１４を開く際の第２規制機構の動作を示す動作説明図である。
【０１８４】
図２８（ａ）に示すように、前面扉１４が開放されている場合には、板バネの付勢力によってガラス側係合部材７００の突起７０２がガラスホルダ３３のスリット７２１における天壁に対して当接し、爪部７０３が上限位置に待機した状態となっている。
【０１８５】
同図２８（ａ）に示す状態から前面扉１４を閉位置に向けて回動させると、ガラス側係合部材７００の爪部７０３に形成された誘導傾斜面７０３ａが遊技領域区画部材４８０の開口部４９８における上端縁に当たる。閉位置へ向けての前面扉１４の回動が継続されることにより、ガラス側係合部材７００は板バネの付勢力に抗して回動し、爪部７０３が下方へ押し下げられることとなる。
【０１８６】
このように、ガラス側係合部材７００が回動することにより、同ガラス側係合部材７００のフランジ部７０４が降下することとなる。そして、このようにフランジ部７０４が降下を開始した後、施錠装置５００の前扉用鉤部材５５０に対して前面扉１４の鉤受け部材６３が当たり、前扉用鉤部材５５０が下方へスライド移動することとなる。これにより前扉用鉤部材５５０の延出部５５６も降下を開始することとなるが、このタイミングにおいては既にフランジ部７０４が降下を開始しており、延出部５５６がフランジ部７０４よりも上側に位置するという相互の位置関係が維持されることとなる。
【０１８７】
図２８（ｂ）に示すように、ガラス側係合部材７００の回動量が最大となった後も、前扉用鉤部材５５０の下方への移動は継続される。その後、前扉用鉤部材５５０の下方への移動量が最大となった後に、ガラス側係合部材７００が板バネの付勢力によって元の位置に復帰するとともに、前扉用鉤部材５５０がコイルバネ５６０の付勢力によって元の位置に復帰する。これにより、図２８（ｃ）に示すように、ガラス側係合部材７００の爪部７０３が遊技領域区画部材４８０の前板部４９６に対して引っ掛かった状態となり、ガラスユニット３０と遊技盤８０との隙間の拡がりが規制される。また、これと同時に前面扉１４が閉位置にて施錠され同前面扉１４の開放が不可となる。
【０１８８】
一方、図２９（ｄ）に示すように、前面扉１４が内枠１３に対して閉じている状態から開放される場合には、施錠装置５００が上記操作キーによって操作されることにより、前扉用鉤部材５５０がコイルバネ５６０の付勢力に抗して下方へスライド移動することとなる。これにより、前扉用鉤部材５５０の延出部５５６が降下し、ガラス側係合部材７００のフランジ部７０４が同延出部５５６によって押し下げられることとなる。これにより、ガラス側係合部材７００が板バネの付勢力に抗して回動し、爪部７０３が下方へ移動する。この結果、爪部７０３と遊技領域区画部材４８０の前板部４９６との掛かり代が減少する。
【０１８９】
爪部７０３と前板部４９６との引っ掛かりが解除された後も、前扉用鉤部材５５０の下方へのスライド移動は継続され、操作キーの操作量が最大となったタイミングで、同前扉用鉤部材５５０のスライド移動が停止することとなる（図２９（ｅ）参照）。
【０１９０】
その後、前面扉１４を前方へ回動させることにより、図２９（ｅ）→図２９（ｆ）に示すように、ガラス側係合部材７００が遊技領域区画部材４８０の開口部４９８から離脱する側へ移動し、第２規制機構による隙間の拡がり規制が解除されることとなる。
【０１９１】
本実施の形態においては、上述した隙間の拡がり規制に関する構成に併せてガラスユニット３０の取付構造に関する特徴的な構成が採用されている。ここで、図３０に基づき、ガラスユニット３０の取付構造について説明する。図３０は、枠体２０に対するガラスユニット３０の取付構造を示す部分断面図である。
【０１９２】
図３０に示すように、前面扉１４の枠体２０にはガラスユニット３０（詳しくは取付部３５）を保持する保持部５７が設けられている。保持部５７は内枠１３側に凸となる円柱状をなしており、上記取付部３５には同保持部５７が挿入される挿入部４１が形成されている。より具体的には、保持部５７の中心軸線は前後方向に延びており、挿入部４１は同保持部５７と同一方向に延びる有底の丸穴状をなしている。挿入部４１に対して保持部５７が嵌ることにより、ガラスユニット３０の前後方向への移動、すなわち前面扉１４と内枠１３との並設方向と同じ方向へのスライド移動が許容されている。
【０１９３】
また、取付部３５において挿入部４１の底部を形成している部分には貫通孔４２が形成されている。貫通孔４２にはネジ４５が挿入されており、同貫通孔４２に挿通されたネジ４５の先端部分が保持部５７に形成されたネジ穴５８に螺着されている。
【０１９４】
ネジ４５の頭部４５ａは、取付部３５に対して内枠１３側から隙間を隔てて対向しており、この頭部４５ａによって枠体２０からのガラスユニット３０の脱落が阻止されている。このように、ネジ４５に枠体２０からのガラスユニット３０の脱落を阻止する機能が付与されている点に着目すれば、同ネジ４５を「ストッパ４５」と称することも可能である。
【０１９５】
ネジ４５には「付勢手段」としてのコイルバネ４６が挿通されている。コイルバネ４６は、頭部４５ａと取付部３５とによって挟まれて圧縮された状態となっており、このコイルバネ４６によって取付部３５が枠体２０側（すなわちパチンコ機１０における前方）に付勢されている。つまり、コイルバネ４６によってガラスユニット３０が遊技盤８０の正面側に向けて付勢されている。
【０１９６】
取付部３５において頭部４５ａと対向している部分には、コイルバネ４６が嵌まるバネ用凹部４３が形成されている。ガラスユニット３０が後方へスライド移動した場合には、コイルバネ４６が圧縮されてバネ用凹部４３に嵌まることにより、ネジ４５の頭部４５ａが取付部３５に対して後方から当接することとなる。つまり、ガラスユニット３０のスライドストローク量Ｌ１は取付部３５とネジ４５の頭部４５ａとの隙間によって規定されている。
【０１９７】
ここで、ガラスユニット３０とガラスユニット設置部２２との関係について説明を補足する。既に説明したようにガラスユニット設置部２２は凹状をなしており、同ガラスユニット設置部２２に対してガラスユニット３０が後方から嵌まっている。ガラスユニット設置部２２を構成している略環状の周壁部２２ａ、詳しくは内枠１３側に起立するとともに窓部２１を囲むように形成された周壁部２２ａと、ガラスユニット３０との同ガラスユニット３０のスライド方向に対して直交する方向での重なり代Ｌ２は、上記スライドストローク量Ｌ１よりも大きく設定されている。これにより、ガラスユニット３０がネジ４５の頭部４５ａに当接している場合であっても、ガラスユニット３０とガラスユニット設置部２２（詳しくは周壁部２２ａ）との重なりが担保されることとなる。
【０１９８】
以上詳述したようにガラスユニット３０のスライド移動を許容する構成を採用した場合、同ガラスユニット３０がスライドすることで当該ガラスユニット３０のガラスパネル３２と遊技盤８０の遊技領域ＰＥに配された釘８７等の各種構成とが干渉することは好ましくない。そこで本実施の形態においては、そのような不都合を回避するための各種工夫が施されている。以下、その一例について説明する。
【０１９９】
図３０に示すように、内枠１３に固定されたプレート部材２８１には、前面扉１４が閉じている場合に取付部３５に対して遊技盤８０側から当接する当接部２８２が形成されている。当接部２８２が取付部３５に対して当接することにより、ガラスユニット３０の遊技盤８０側へのスライド移動が阻止されることとなる。これにより、遊技領域ＰＥに設けられた各種構成とガラスパネル３２との隙間を維持し、上記干渉等の発生を抑制している。なお、当接部２８２に相当する構成は、ガラスユニット３０の外周に沿うようにして複数配設されている。当接部２８２については、取付部３５を当接対象としたが、これに限定されるものではない。詳細な説明は省略するが、他の当接部の当接対象は取付部３５以外の部位（例えば枠部３４等）となっている。
【０２００】
以上詳述したようにガラスユニット３０及び遊技盤８０の隙間の拡がりを規制する構成と、ガラスユニット３０のスライド移動を許容する構成とを併用することにより、ガラスパネル３２と遊技盤８０との位置関係を好適に維持することができ、更には防犯機能の向上が期待される。ここで、図３１及び図３２に基づき外的に要因により前面扉１４と内枠１３との位置関係が変化した場合のガラスユニット３０と遊技盤８０との位置関係について説明する。図３１は前面扉１４の回動基端側における遊技盤８０とガラスユニット３０との位置関係を示す概略図、図３２は前面扉１４の回動先端側における遊技盤８０とガラスユニット３０との位置関係を示す概略図である。
【０２０１】
前面扉１４が内枠１３に対して閉じている状態では、図３１（ａ）に示すように遊技盤８０（詳しくは第２レールカバー４００）の対向部４５０に対してガラスユニット３０の延出部３９が僅かな隙間を隔てて対向しているとともに、図３２（ａ）に示すようにガラス側係合部材７００の爪部７０３が遊技盤側係合部７５０を構成する前板部４９６に対して僅かな隙間を隔てて対向している。この状態では、ガラスユニット３０は、コイルバネ４６の付勢力によってスライド範囲のうち最も前寄り（枠体２０寄り）となる位置にて待機している。
【０２０２】
図３１（ａ）→（ｂ）に示すように、内枠１３と前面扉１４との境界部位にバール等の不正具Ｔが挿入され、同境界部位が前後方向へ押し拡げられた場合には、内枠１３から前面扉１４が浮き上がり、同内枠１３と前面扉１４との隙間が部分的に拡張されることとなる。この場合、図３１（ｂ）に示すように、対向部４５０に対して延出部３９が後方から当接することにより、前面扉１４の枠体２０に追従したガラスユニット３０の移動が妨げられる。具体的には、上記コイルバネ４６（図３０参照）が圧縮されることにより、同ガラスユニット３０と枠体２０との相対位置が変化することとなる。つまり、枠体２０が内枠１３から浮き上がったとしてもガラスユニット３０はほぼ元の位置に留まったままとなる。これにより、遊技盤８０（詳しくはその前面）とガラスパネル３２との位置関係が好適に維持される。
【０２０３】
また、内枠１３から枠体２０が浮き上がった場合であっても、同図３１の部分拡大図に示すように、ガラスユニット３０がガラスユニット設置部２２から離脱することは無く、ガラスユニット設置部２２を構成する周壁部２２ａとガラスユニット３０との重なりが維持されることとなる。故に、枠体２０とガラスユニット３０との相対位置の変化によって、それら枠体２０及びガラスユニット３０の隙間が拡がることを抑えることができる。故に、窓部２１→同境界を通じた不正具等の挿入が容易になることを抑制できる。
【０２０４】
ここで、対向部４５０の配置について補足説明する。既に説明したように前面扉１４を同前面扉１４の上端部寄り及び下端部寄りに配置された支持金具７１，７２によって支持している構成において、前面扉１４の回動安定性の向上が期待できる反面、それら両支持金具７１，７２の間となる部位にて、同前面扉１４と内枠１３との境界部位が拡がりやすくなると想定される。この点、本実施の形態における第２対向部４５２は、支持金具７１，７２の間に配置されており、上記規制機能が好適に発揮される。
【０２０５】
また、両第２対向部４５２のうち少なくとも下側の一方は、内枠１３において前面扉１４を支持している側の端部と上記作動口８３との間に配置されている。これにより、作動口８３付近における上記隙間の拡がりを好適に抑制可能となっている。
【０２０６】
図３２（ａ）→（ｂ）に示すように、内枠１３と前面扉１４との境界部位にバール等の不正具Ｔが挿入され、前面扉１４が前方へ押された場合には、内枠１３から前面扉１４が浮き上がり、同内枠１３と前面扉１４との隙間が部分的に拡張されることとなる。この場合、図３２（ｂ）に示すように、遊技盤側係合部７５０を構成する遊技領域区画部材４８０の前板部４９６に対してガラス側係合部材７００の爪部７０３が後方から当接することにより、前面扉１４の枠体２０に追従したガラスユニット３０の移動が妨げられる。具体的には、上記コイルバネ４６（図３０参照）が圧縮されることにより、同ガラスユニット３０と枠体２０との相対位置が変化することとなる。つまり、枠体２０が内枠１３から浮き上がったとしてもガラスユニット３０はほぼ元の位置に留まったままとなる。これにより、遊技盤８０（詳しくはその前面）とガラスパネル３２との位置関係が好適に維持される。
【０２０７】
また、内枠１３から枠体２０が浮き上がった場合であっても、ガラスユニット３０がガラスユニット設置部２２から離脱することは無く、ガラスユニット設置部２２を構成する周壁部２２ａとガラスユニット３０との重なりが維持されることとなる。故に、枠体２０とガラスユニット３０との相対位置の変化によって、それら枠体２０及びガラスユニット３０の隙間が拡がることを抑えることができる。故に、窓部２１→同境界を通じた不正具等の挿入が容易になることを抑制できる。
【０２０８】
次に、パチンコ機１０の電気的構成について、図３３のブロック図に基づき説明する。図３３では、電力の供給ラインを二重線矢印で示し、信号ラインを実線矢印で示す。
【０２０９】
主制御装置１６２に設けられた主制御基板８０１には、主制御回路８０２と停電監視回路８０３とが内蔵されている。主制御回路８０２には、ＭＰＵ８１１が搭載されている。ＭＰＵ８１１には、当該ＭＰＵ８１１により実行される各種の制御プログラムや固定値データを記憶したＲＯＭ８１２と、そのＲＯＭ８１２内に記憶される制御プログラムの実行に際して各種のデータ等を一時的に記憶するためのメモリであるＲＡＭ８１３と、割込回路やタイマ回路、データ入出力回路などの各種回路が内蔵されている。
【０２１０】
ＲＡＭ８１３は、パチンコ機１０の電源の遮断後においても電源・発射制御装置２４３に設けられた電源・発射制御基板８２１からデータ記憶保持用電力が供給されてデータが保持される構成となっている。
【０２１１】
ＭＰＵ８１１には、アドレスバス及びデータバスで構成されるバスラインを介して入出力ポートが接続されている。主制御回路８０２の入力側には、主制御基板８０１に設けられた停電監視回路８０３、払出制御装置２４２に設けられた払出制御基板８２２及びその他図示しないスイッチ群などが接続されている。この場合に、停電監視回路８０３には電源・発射制御基板８２１が接続されており、主制御回路８０２には停電監視回路８０３を介して電力が供給される。
【０２１２】
一方、主制御回路８０２の出力側には、停電監視回路８０３、払出制御基板８２２及び中継端子板８２３が接続されている。払出制御基板８２２には、賞球コマンドなどといった各種コマンドが出力される。中継端子板８２３を介して主制御回路８０２から音声ランプ制御装置１４３に設けられた音声ランプ制御基板８２４に対して各種コマンドなどが出力される。
【０２１３】
停電監視回路８０３は、主制御回路８０２と電源・発射制御基板８２１とを中継し、また電源・発射制御基板８２１から出力される最大電源である直流安定２４ボルトの電源を監視する。
【０２１４】
払出制御基板８２２は、払出装置２２４により賞球や貸し球の払出制御を行うものである。演算装置であるＭＰＵ８３１は、そのＭＰＵ８３１により実行される制御プログラムや固定値データ等を記憶したＲＯＭ８３２と、ワークメモリ等として使用されるＲＡＭ８３３とを備えている。
【０２１５】
払出制御基板８２２のＲＡＭ８３３は、主制御回路８０２のＲＡＭ８１３と同様に、パチンコ機１０の電源の遮断後においても電源・発射制御基板８２１からデータ記憶保持用電力が供給されてデータが保持される構成となっている。
【０２１６】
払出制御基板８２２のＭＰＵ８３１には、アドレスバス及びデータバスで構成されるバスラインを介して入出力ポートが接続されている。払出制御基板８２２の入力側には、主制御回路８０２、電源・発射制御基板８２１、及び裏パック基板８２９が接続されている。また、払出制御基板８２２の出力側には、主制御回路８０２及び裏パック基板８２９が接続されている。
【０２１７】
電源・発射制御基板８２１は、電源部と発射制御部とを備えている。電源部は、二重線矢印で示す経路を通じて、主制御回路８０２や払出制御基板８２２等に対して各々に必要な動作電力を供給する。発射制御部は、遊技者による遊技球発射ハンドル２９の操作にしたがって遊技球発射機構１１０の発射制御を担うものであり、遊技球発射機構１１０は所定の発射条件が整っている場合に駆動される。
【０２１８】
音声ランプ制御基板８２４は、各種ランプ部２３〜２５やスピーカ部２６、及び表示制御装置８２５を制御するものである。演算装置であるＭＰＵ８４１は、そのＭＰＵ８４１により実行される制御プログラムや固定値データ等を記憶したＲＯＭ８４２と、ワークメモリ等として使用されるＲＡＭ８４３とを備えている。
【０２１９】
音声ランプ制御基板８２４のＭＰＵ８４１にはアドレスバス及びデータバスで構成されるバスラインを介して入出力ポートが接続されている。音声ランプ制御基板８２４の入力側には中継端子板８２３に中継されて主制御回路８０２が接続されており、主制御回路８０２から出力される各種コマンドに基づいて、各種ランプ部２３〜２５、スピーカ部２６、及び表示制御装置８２５を制御する。表示制御装置８２５は、音声ランプ制御基板８２４から入力する表示コマンドに基づいて図柄表示装置９４を制御する。
【０２２０】
以上詳述した本実施の形態によれば、以下の優れた効果を奏する。
【０２２１】
遊技盤８０を内枠１３の正面側から着脱可能とすることにより、内枠の背面側から遊技盤を着脱する構成と比較して作業の容易化を促進できる。遊技盤を内枠の背側から着脱する構成を想定した場合、内枠を開放した状態で遊技盤の着脱を行う必要が生じる。この場合、例えば内枠が移動しないように同内枠の移動を手で押さえることで、遊技盤の装着作業を円滑に行うことができる。しかしながら、遊技盤の着脱作業の円滑化のために、内枠を手で押える等した場合には、作業が煩雑化し得る。この点、上記実施の形態に示したように内枠１３を外枠１１に対して閉じた状態で遊技盤８０の着脱作業が可能であれば、押し込み操作等によって内枠１３が移動することを回避できる。これにより、遊技盤８０の着脱作業時に内枠１３を手で押さえるといった予備的作業を不要とし、作業の容易化に貢献できる。なお、裏パックユニット１５の開閉操作を省略することが可能となるため、作業手順の簡略化を図ることもできる。
【０２２２】
遊技盤８０を装着する際には、同遊技盤８０を内枠１３の仮置き部１２５に載せた状態で回動させることが可能となっている。つまり、遊技盤８０の重量の少なくとも一部を内枠１３側に預けることができるため、同遊技盤８０を支えたまま回動させる必要がない。これにより、作業負担の軽減を図っている。
【０２２３】
遊技盤８０を挿入部２９０に挿入することにより同遊技盤８０の突起４３１と樹脂ベース７０の受け部２７５とが引っ掛かり、当該遊技盤８０の挿入部２９０からの脱落が阻止される。このため、例えば上記回動操作中に遊技盤８０から手を離したとしても、それ起因して遊技盤８０の装着作業のやり直しが発生するといった不都合が生じにくくなっている。これにより、作業の容易化に貢献できる。
【０２２４】
また、遊技盤８０の挿入部２９０からの外れを抑制することにより、遊技盤８０の装着軌道のばらつきを抑えることも可能となる。これにより、遊技盤８０を回動させる際に同遊技盤８０が他の構成と干渉することを好適に抑制できる。
【０２２５】
遊技盤８０の装着作業時には、遊技盤８０を挿入部２９０に挿入することによって阻止状態に移行されるため、阻止状態への移行のための別途操作を必要としない。故に、脱落阻止構造を採用することによる遊技盤装着作業の煩雑化を回避することができる。
【０２２６】
上記突起４３１及び受け部２７５は遊技盤８０の前面側に配されている。これにより、遊技盤８０の脱落が阻止されている状態に切り替っているか否かを目視にて確認しやすくなっている。特に、突起４３１を第２レールカバー４００に一体形成することにより、つまり強度を確保する必要がある構成をまとめることにより、遊技盤８０の前面側での占有領域の拡がりを抑えている。この場合、第２レールカバー４００の起立部４２０等によって上記視認性が低下すると懸念されるが、本実施の形態においては第２レールカバー４００を透明とすることにより、起立部４２０を通して突起４３１を視認可能となっている。これにより、占有領域の拡がりを抑えつつ、それに起因した突起４３１等の視認性の低下を抑えている。
【０２２７】
遊技盤８０を回動可能とする場合、例えば同遊技盤８０を回動可能に支持する軸ピンを樹脂ベース７０に設けることも可能である。しかしながら、そのように軸ピンを有する構成を採用した場合、遊技盤８０を軸ピンに挿通するための作業スペースを確保する必要が生じる。具体的には、少なくとも軸ピンの中心軸線の延長上にて上記作業スペースを確保する必要が生じる。例えば、軸ピンを樹脂ベースの前方又は後方へオフセットして配置することにより同樹脂ベースと上記作業スペースとの重なりを回避することも可能であるが、このように軸ピンをオフセットして配置することはパチンコ機１０の薄型化を難しくする要因となり得るため好ましくない。この点、突起４３１及び受け部２７５によって遊技盤８０を回動可能とすれば、上記不都合を回避し、パチンコ機１０の薄型化を促進することができる。
【０２２８】
上述の如く遊技盤８０を樹脂ベース７０に対して着脱可能な構成とすることにより、例えばメンテナンス作業の容易化や遊技盤８０の交換（機種変更等）の容易化に貢献できる。しかしながら、遊技盤８０を着脱可能とすることにより、以下の不都合が生じやすくなると想定される。つまり、遊技盤８０の輸送時に同遊技盤８０がぶつけられたり、遊技盤８０の着脱作業時に同遊技盤８０が前面扉１４や内枠１３等に干渉したりする可能性がある。
【０２２９】
遊技盤８０の前面には釘８７や誘導レール１００等の遊技球の動きに影響を与える部品が配設されており、これらの部品が上記干渉の対象となり変形等が生じた場合には、遊技球の動きが想定外のものとなり得るため好ましくない。特に、誘導レール１００については釘８７等の遊技領域ＰＥに配設された各種構成を囲っているため、それら釘８７等と比べて干渉の対象になりやすいと想定される。また、同誘導レール１００は遊技球発射機構１１０から発射された遊技球を遊技領域ＰＥに誘導する機能を有しており、仮に上記干渉により変形等が生じると、誘導機能が低下すると懸念される。本実施の形態によれば、誘導レール１００をレールカバー３５０，４００によって覆うことにより、誘導レール１００を保護し、上記不都合の発生を抑えることが可能となっている。
【０２３０】
第２レールカバー４００は、誘導レール１００を遊技領域ＰＥの外側且つ遊技盤８０の正面側から覆っている。これにより、誘導レール１００の保護機能の向上が図られている。
【０２３１】
特に、上述の如く前面扉１４と内枠１３（樹脂ベース７０）との間から挿入部２９０へ遊技盤８０を挿入する構成においては、遊技盤８０の正面側に前面扉１４が位置するため、同前面扉１４と誘導レール１００とが干渉しやすくなると想定される。そこで、第２レールカバー４００によって同前面扉１４側から誘導レール１００を覆うことにより、同誘導レール１００と前面扉１４との干渉を好適に抑制できる。
【０２３２】
遊技盤８０を挿入部２９０に挿入する際には、誘導レール１００において挿入先側となる部分が干渉する可能性が他の部位と比べて干渉しやすくなると想定される。この点、本実施の形態によれば、第２レールカバー４００によって誘導レール１００における遊技盤８０の挿入方向先側となる部位を覆う構成とすることにより、上記保護機能を好適に発揮させることができる。
【０２３３】
また、遊技球発射機構１１０から発射された遊技球は、誘導レール１００において上記第２レールカバー４００によって覆われている部分を経由して遊技領域ＰＥに到達する。つまり、第２レールカバー４００により誘導レール１００において誘導通路１０３を構成している部分を覆うことにより、遊技球の誘導機能の担保することが可能となっている。
【０２３４】
本実施の形態においては特に、第２レールカバー４００のベース部４１０に括れを形成するとともに起立部４２０が湾曲部４２１を有することにより、誘導レール１００と第２レールカバー４００と遊技盤８０の前面において好適に共存させている。つまり、誘導レール１００によって区画されている遊技領域ＰＥの圧迫を抑えつつ第２レールカバー４００を配置している。つまり、第２レールカバー４００の保護機能を享受しつつ同第２レールカバー４００の占有領域の拡がりを抑えることにより、実用上好ましい構成が実現されている。
【０２３５】
特に誘導レール１００（詳しくは外レール１０２）において挿入部２９０側に凸となっている部分と遊技盤８０の端部との間となる部位では、第２レールカバー４００の設置が許容される領域が狭くなっている。この点、起立部４２０に外レール１０２に沿って湾曲する湾曲部４２１を形成することにより、占有領域の拡がりを抑えつつ、起立部４２０の強度（詳しくは遊技領域ＰＥの外側から加わる外力に対する耐性）を向上させている。
【０２３６】
また、起立部４２０の湾曲部４２１には対向部４５０が形成されており、同対向部４５０が上側起立部４２２と下側起立部４２３とに繋がる構成とすることにより、湾曲部４２１の更なる強度向上が期待できる。特に、対向部４５０は第１対向部４５１及び第２対向部４５２，４５３が前後に段差状となるように形成されている。これにより、更なる強度向上が可能となっている。
【０２３７】
上側起立部４２２及び下側起立部４２３は、外レール１０２の頂部１０２ａから遠ざかるにつれて同外レール１０２との間の隙間が拡がっており、その隙間を埋めるようにして内側ベース部４１１が形成されている。つまり、湾曲部４２１を挟んだ上下両側においては、内側ベース部４１１及び外側ベース部４１２が形成されている。これら内外のベース部４１１，４１２を有する構成とすることにより、湾曲部４２１の変形を好適に抑えることが可能となっている。
【０２３８】
このように強度が要求される第２レールカバー４００に上記突起４３１を配設することにより、突起４３１に相当する構成を別途設ける場合と比較して遊技盤８０前面側での設置領域の減縮が可能となっている。
【０２３９】
内枠を前扉枠で覆うタイプの遊技機においては内枠と前扉枠との位置関係に配慮した構成が採用されているものがある。このような構成では、内枠の樹脂ベースと前扉枠との位置関係を好適に維持することはできるものの、樹脂ベースとは別体で設けられた遊技盤と前扉枠に設けられたガラスパネルとの位置関係を好適に維持することは困難であると想定される。つまり、遊技盤及びガラスパネルの相対位置（前後位置）の変化やばらつきを抑えることは難しいと想定される。
【０２４０】
遊技盤とガラスパネルとの間に遊技領域が設けられ、その遊技領域を遊技球が流下する構成においては、上述した遊技盤及びガラスパネルの相対位置の変化は遊技領域における遊技球の挙動に影響を及ぼす要因となり得る。遊技盤を有する遊技機においては遊技領域における遊技球の挙動によって有利不利が決定されるため、上述したような遊技盤とガラスパネルとの相対位置の変化は好ましくない。
【０２４１】
この点、本実施の形態においては、前面扉１４の延出部３９が遊技盤８０の第２レールカバー４００と外レール１０２との間に挿通される構成とすることにより上記不都合の発生を好適に抑え、遊技領域ＰＥを流下する遊技球の挙動を好適なものとすることができる。
【０２４２】
特に、本実施の形態においては、遊技盤８０を樹脂ベース７０に対して着脱可能とする構成を採用することにより、メンテナンス作業の容易化や機種変更の促進等に貢献している。しかしながら、このように遊技盤８０を着脱可能とすることで、上記効果が期待できる反面、樹脂ベース７０に対する遊技盤８０の位置ばらつきが生じやすくなると想定される。このため、仮に前面扉１４と樹脂ベース７０との位置関係を好適に維持することができたとしても、上述した遊技盤８０と樹脂ベース７０との位置ばらつきは、遊技盤８０とガラスパネル３２との位置関係に影響を及ぼすと想定される。この点、前面扉１４の延出部３９と遊技盤８０の第２レールカバー４００とを設けることによって、上記不都合を抑制し、メンテンナンス作業の容易化等と遊技盤及びパネル部材の位置関係の維持とを好適に両立させることができる。
【０２４３】
誘導通路１０３と対向部４５０との間に前面扉１４の延出部３９を介在させるとともに、その延出部３９における後側の板面とガラスパネル３２における後側の板面とを面一とすることで誘導通路１０３を通過する遊技球の挙動の安定化に貢献できる。
【０２４４】
例えば、誘導通路１０３をガラスパネル３２と第２レールカバー４００の対向部４５０とによって前方から覆う構成とすることも可能ではあるが、ガラスパネル３２が前面扉１４側に設けられているとともに対向部４５０が遊技盤８０側に設けられているため、それらガラスパネル３２と対向部４５０との間には隙間や段差が生じやすくなると想定される。このため、誘導通路１０３により誘導されている遊技球の挙動がこれら隙間や段差等を通過する際に乱れて、安定した遊技球の誘導が困難となり得る。この点、上述の如く、面一となるように設けられた延出部３９とガラスパネル３２とによって誘導通路１０３を覆う構成とすれば、そのような不都合を払拭し、実用上好ましい構成を実現できる。
【０２４５】
また、遊技盤８０において前面扉１４の回動基端部寄りとなる位置に対向部４５０を配するとともに前面扉１４の回動基端部に延出部３９を配することにより、上記隙間に延出部３９が挿入される際の同延出部３９の移動方向を遊技盤８０の前面と略平行とすることが可能となる。故に、例えば対向部４５０と延出部３９との隙間を小さくしたり、それら対向部４５０及び延出部３９の掛かり代（すなわち前後方向における重なり代）を大きくしたりすることができ、上述した隙間の拡がりを規制する機能を一層好適なものとすることができる。
【０２４６】
、前面扉１４の上端及び下端寄りに配置された支持金具７１，７２によって支持しているため、それら支持金具７１，７２の中間部位では、前面扉１４と内枠１３と隙間が拡がりやすくなると想定される。そこで、上記延出部３９等を前面扉１４の回動基端側に配することにより、そのような不都合の発生を好適に抑制することが可能となっている。
【０２４７】
また、前面扉１４の回動先端側においては施錠装置５００により前面扉１４の浮き上がりが好適に抑制されているもの、回動基端側では上記支持金具７１，７２の中間位置での浮き上がりが容易になり得る。仮に前面扉１４の回動基端側における内枠１３との境界部位からバール等の不正具が挿入され、無理に上記境界部位が押し拡げられると、遊技領域ＰＥにて意図的に球詰まりを発生させることが可能となる。仮に、このような球詰まりが作動口８３等の入球口の傍で発生すると、後続する遊技球がそれら球詰まりしている遊技球群によって作動口８３等に誘導され、作動口８３等への入賞確率が変わってしまうと想定される。つまり、意図的に球詰まりを発生させることにより、不正に特典を享受しようとする試みがなされると懸念される。この点、本実施の形態においては、上記延出部３９及び対向部４５０（詳しくは第２対向部４５３）を作動口８３と上記回動基端側の境界部位との間に配置することにより、上述した不正行為を好適に抑制することが可能となっている。
【０２４８】
延出部３９と対向部４５０とが当接している場合には、第２レールカバー４００に対して遊技盤８０から浮き上がるような応力が加わることとなる。第２レールカバー４００は起立部４２０を有しており、前後方向への変形に対する強度が高められている。これにより、延出部３９によって前方へ引っ張られたとしても、同第２レールカバー４００の変形を抑えることができる。故に、上記隙間の拡がりを好適に抑制できる。
【０２４９】
以上詳述したように、遊技盤８０（詳しくはその前面）とガラスユニット３０（詳しくはガラスパネル３２）との位置関係を維持可能な構成においては、例えば、延出部３９や対向部４５０の強度を向上することにより隙間の拡がり規制機能を向上することが可能ではある。しかしながら、パチンコ機１０内部の限られた領域にてそのように強度向上を図ることは困難であると想定される。特に、遊技盤８０の前面側には遊技領域ＰＥが形成されており、強度向上によって遊技領域ＰＥが圧迫されることは好ましくない。更には、枠体２０等の浮き上がりに伴って発生する応力が延出部３９等に集中することにより同延出部３９等に変形が生じやすくなる。故に、規制機能を担保することが困難になり得る。以上の理由から、強度向上に頼って規制機能を向上させることは困難であると想定される。この点、本実施の形態においては、強度向上を図るのではなく、ガラスユニット３０をスライド移動可能とすることにより上記規制機能を好適に向上させている。具体的には、ガラスユニット３０を前面扉１４の枠体２０に対して前後方向へのスライド移動を許容した状態で取り付けている。このため、延出部３９と対向部４５０とが当接することで遊技盤８０とガラスユニット３０との相対位置の変化を抑えつつ、それに伴って延出部３９や対向部４５０等に生じる負荷を小さくすることができる。これにより、上記不都合の発生を抑え、遊技盤８０とガラスユニット３０との位置関係を好適に維持することができる。
【０２５０】
ガラスユニット３０を可動式とするとともに、コイルバネ４６の付勢力によってガラスユニット３０を特定位置に保持する構成とすることにより、過度に大きな応力がガラスユニット３０や遊技盤８０に加わることを抑制することができる。例えば、内枠１３と前面扉１４との境界部位からバール等の不正具を挿入して、前面扉１４を無理やり浮き上がらせるといった不正行為が行われた場合であっても、そのような行為によって発生する応力が、ガラスユニット３０や遊技盤８０に集中することを抑制することができる。これにより、隙間の拡がりを規制する機能の担保に貢献することができる。
【０２５１】
また、ガラスユニット３０を可動式とするとともに遊技盤８０を固定式とすることにより、以下の効果が期待できる。すなわち、内枠１３には、遊技盤８０だけでなく、遊技球発射機構１１０が設けられており、上述の如くガラスユニット３０をスライドさせることで、遊技盤８０と遊技球発射機構１１０との位置関係を好適に維持しつつ同ガラスユニット３０と遊技盤８０との位置関係を維持することが可能となる。つまり、ガラスユニット３０を固定式とし、遊技盤８０を移動式とする場合と比較して、構成の煩雑化を抑えつつ、上記防犯効果等を発揮させることができる。
【０２５２】
ガラスユニット３０を可動式とすることにより、枠体２０の窓部２１を通じた不正具の挿入が容易化されることは好ましくない。この点、本実施の形態においては内枠１３のプレート部材２８１に設けられた当接部２８２等によって遊技盤８０側へのガラスユニット３０の移動を規制する構成とした。これにより、例えばガラスユニット３０が押される等した場合であっても、上記隙間が拡大することを抑制することができ、防犯性の低下を抑えることが可能となっている。
【０２５３】
更には、ガラスユニット３０の可動範囲においては同ガラスユニット３０がガラスユニット設置部２２から離脱することを回避し、ガラスユニット３０と枠体２０との境界部位の拡がりを抑えている。これにより、窓部２１→同境界部位を通じた不正具の挿入を困難なものとすることができる。
【０２５４】
本実施の形態においては、ガラスユニット３０を可動式とするとともに、同ガラスユニット３０をコイルバネ４６によって前方へ付勢し、前方での限界位置を保持部５７によって規定した。これにより、前面扉１４を閉じる際のガラスユニット３０の位置ばらつきを抑えることができ、規制状態への移行の円滑化を図っている。
【０２５５】
また、ガラスユニット３０を前方へ付勢し、同ガラスユニット３０の延出部３９が遊技盤８０の対向部４５０に対して当接することで、当該ガラスユニット３０の前方への変位を規制する構成とした。このため、仮に、前面扉１４が内枠１３から浮かした状態で、更にガラスユニット３０が前方に引っ張られた場合であっても、付勢力に依存するのではなく延出部３９と対向部４５０との引っ掛かりにより、同ガラスユニット３０の前方への変位が規制されることとなる。このようにガラスユニット３０の前方への移動を付勢力に頼るのではなく機械的に妨げる構成とすることで、上記隙間維持機能を好適に高めることができ、更なる防犯性向上が期待できる。
【０２５６】
また、延出部３９が対向部４５０に対してパチンコ機１０の前方から対向する構成と比較して、以下の効果が期待できる。すなわち、このような構成においては、隙間維持機能を好適に発揮させるには、延出部３９と対向部４５０とが前面扉１４を閉じている状態において常時当接する構成とし、更には、ガラスユニット３０を後方へ付勢することにより、延出部３９及び対向部４５０を強干渉させておく必要が生じる。この場合、前面扉１４に浮き上がり等が発生していない通常時にいおいて、浮き上がりが発生している場合よりも大きな付勢力が延出部３９等に加わることとなり、延出部３９や対向部４５０の機能保護が難しくなり得る。この点、上記実施の形態における構成においては、前面扉１４の浮き上がりが発生していない場合には、同浮き上がりが発生している場合と比較して小さな付勢力しか加わらない、又は付勢力が加わらない。これにより、上記不都合を好適に払拭することができ、延出部３９や対向部４５０の保護を図ることができる。故に、上記隙間維持機能を好適に担保することが可能となる。
【０２５７】
また、本実施の形態においては、前面扉１４の回動基端側と回動先端側とに遊技盤８０とガラスユニット３０との隙間の拡がりを規制する構成（第１規制機構及び第２規制機構）を配することにより、遊技盤８０の隙間維持のバランスを好適なものとしている。特に、それら各規制機構については前面扉１４の開閉に伴って規制状態と規制解除状態とが切り替る構成となっている。具体的には、前面扉１４の回動基端側に配された第１規制機構については、前面扉１４の開閉動作に基づいて規制状態と規制解除状態との切り替えがなされ、前面扉１４の回動先端側に配された第２規制機構については、前面扉１４の閉動作に基づいて規制状態への切り替えがなされるとともに施錠装置５００における前面扉１４の解錠操作に基づいて規制解除状態への切り替えがなされる構成とした。このため規制機構の切り替えのための別途操作を必要とすることがなく、パチンコ機に対して隙間維持機能を付与することに起因したメンテナンス作業等の作業性の低下を抑制している。
【０２５８】
特に第２規制機構においては、施錠装置５００による前面扉１４の施錠状態が解除される前に、すなわち前扉用鉤部材５５０と鉤受け部材６３の引っ掛かり解除される前に、隙間の拡がり規制が解除される構成とした。これにより、仮に作業ミス等により施錠解除操作の途中にて前面扉１４がパチンコ機１０の前方に引っ張られた場合でも、その負荷が第２規制機構に集中するといった不都合を回避することができる。これにより、第２規制機構を保護し、隙間維持機能を好適に担保することができる。
【０２５９】
また、第２規制機構においてはガラス側係合部材７００を可動式、遊技盤側係合部７５０を固定式とした。遊技盤８０においてガラスユニット３０と対向する位置には遊技領域ＰＥが形成されているが、上述の如く遊技盤側係合部７５０を固定式とすることで、以下の効果が期待できる。すなわち、遊技盤側係合部７５０の簡素化・省スペース化を図り、遊技盤８０の前面側にて遊技盤側係合部７５０と遊技領域ＰＥとを好適に共存させることが可能となる。これにより、遊技盤側係合部７５０を遊技領域ＰＥに近い位置に配することができ、遊技盤８０の前面側にて上記隙間の変化を規制することが可能となる。故に、上記隙間維持機能を一層好適なものとすることができる。
【０２６０】
遊技領域区画部材４８０については、返しゴム４９０や把持部等が設けられる部材であり、ある程度の強度確保が必要となっている。このような強度が要求される部材に遊技盤側係合部７５０を設けることにより、遊技領域区画部材４８０の強度を好適に利用して遊技盤側係合部７５０の強度を確保することができる。これにより、例えば遊技盤側係合部単独で強度確保を図る場合と比較して、当該遊技盤側係合部の占有領域が無駄に拡がることを抑制することができる。
【０２６１】
また、上記実施の形態では、前面扉１４が閉位置に向けて移動する過程にて、先ず第２規制機構（詳しくはガラス側係合部材７００）の規制状態への切り替えが開始され、その後、前扉用鉤部材５５０の施錠状態への切り替えが開始される構成とした。つまり、ガラス側係合部材７００のフランジ部７０４が、前扉用鉤部材５５０の延出部５６５に先んじて同延出部５６５から遠ざかる側へ移動を開始する構成とした。これにより、延出部５６５とフランジ部７０４との引っ掛かりを回避しつつ、第２規制機構の規制状態への切替完了タイミングと施錠装置５００の施錠状態への切替完了タイミングとを揃えることが可能となっている。故に、ガラス側係合部材７００及び遊技盤側係合部７５０の遊びと、前扉用鉤部材５５０及び鉤受け部材６３の遊びとを小さくすることができ、施錠機能を担保しつつ、隙間の拡がりを規制する機能を向上することが可能となっている。
【０２６２】
遊技盤８０の樹脂ベース７０からの取り外しを阻止するロック装置７９を樹脂ベース７０の前面側に配し、前面扉１４を開放することにより、同樹脂ベース７０の取り外しが許容される構成とした。これにより、前面扉１４が閉鎖されている状態、すなわち上記隙間の拡がりが規制されている状態にて、遊技盤８０が移動されることを抑制し、規制機構の保護を図ることが可能となっている。
【０２６３】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０２６４】
（１）上記実施の形態では、ガラスユニット３０を可動式とすることにより同ガラスユニット３０と前面扉１４の枠体２０との相対位置の変位を許容し、ガラスユニット３０（詳しくはガラスパネル３２）と遊技盤８０（詳しくはその前面）との位置関係を維持する構成としたが、これに限定されるものではない。遊技盤８０を可動式とすることにより同遊技盤８０と内枠１３の樹脂ベース７０との相対位置の変位を許容し、ガラスユニット３０（詳しくはガラスパネル３２）と遊技盤８０（詳しくはその前面）との位置関係を維持する構成としてもよい。また、ガラスユニット３０及び遊技盤８０をそれぞれ可動式とすることも可能である。
【０２６５】
但し、遊技盤８０を可動式とした場合、前面扉１４の内枠１３からの浮き上がりに応じて、遊技盤８０がガラスユニット３０に追従して移動することとなる。この際、遊技盤８０と同遊技盤８０に遊技球を供給する遊技球発射機構１１０との前後位置がずれることは好ましくない。そこで、遊技盤８０が可動式となるように変更を行う場合、併せて以下の変更を行うことが好ましい。具体的には、遊技球発射機構１１０を樹脂ベース７０に対して前後方向へのスライド移動を許容した状態でとりつけるとともに、遊技盤８０とともに遊技球発射機構１１０が移動する構成とするとよい。これにより、遊技盤８０と遊技球発射機構１１０との位置関係を好適に維持することができ、実用上好ましい構成を実現できる。
【０２６６】
（２）上記実施の形態では、誘導レール１００を覆う第２レールカバー４００に「規制手段」としての機能を付与したがこれに限定されるものではない。つまり、第２レールカバー４００に設けられた対向部４５０に相当する構成を別途設けてもよい。また、対向部４５０に相当する構成を遊技盤８０ではなく樹脂ベース７０に設けることも可能ではあるが、この場合、遊技盤８０と樹脂ベース７０との位置関係のばらつきが、遊技盤８０とガラスユニット３０との位置関係に影響を与える可能性が生じ、それら遊技盤８０とガラスユニット３０との位置関係を維持する機能が低下し得る。故に、望ましくは対向部４５０に相当する構成は遊技盤８０に設けるとよい。
【０２６７】
また、対向部４５０に付与した規制機能を遊技盤８０自体に付与することも可能である。例えば、ガラスユニット３０の延出部３９に相当する構成が遊技盤８０の背面に当接する構成とすることも可能である。言い換えれば、「規制手段」を構成する延出部３９及び第２レールカバー４００が遊技盤８０の前方にて引っ掛かる構成としたが、これに限定されるものではない。遊技盤８０の後方にて引っ掛かる構成とすることも可能である。例えば、上述したように遊技盤８０の背面に対して延出部３９が引っ掛かる構成にするとよい。
【０２６８】
（３）上記実施の形態では、遊技盤８０に設けられた第２レールカバー４００の対向部４５０とガラスユニット３０に設けられたガラスホルダ３３の延出部３９とによって「規制手段」を構成し、同「規制手段」を前面扉１４の回動基端側に配したが、これに限定されるものではない。例えば、「規制手段」に相当する構成を前面扉１４の回動先端側に配することも可能である。
【０２６９】
例えば、遊技盤８０及びガラスユニット３０の相対移動が不可となるようにロックするロック状態と、遊技盤８０及びガラスユニット３０の相対移動を許容するロック解除状態とに切替可能なロック装置を設け、同ロック装置を前面扉１４が開放されている場合にはロック状態に切り替わるとともに前面扉１４が閉じた場合にロック状態に切り替る構成とすることも可能である。なお、このようなロック装置を採用する場合、同ロック装置が施錠装置と連動してロック状態からロック解除状態に切り替る構成とすることで、更なる防犯性の向上が期待できる。
【０２７０】
（４）上記実施の形態では、「パネル部」としてのガラスユニット３０が複数のガラスパネル３１，３２を有する構成としたが、ガラスパネルの数は任意である。例えば、ガラスユニット３０を１のガラスパネルとガラスホルダとによって構成してもよい。但し、安全性や防犯性の向上を念頭に置けば、パネル部材を少なくとも２枚採用することが好ましい。
【０２７１】
また、「パネル部」を構成しているガラスパネル３１，３２を同じく「パネル部」を構成しているガラスホルダ３３を介して「扉枠」としての枠体２０に取り付ける構成としたが、このガラスホルダ３３を省略し、ガラスパネル３１，３２を枠体２０に対して直接取り付ける構成とすることも可能である。例えば「パネル部」が１のガラスパネルによって構成されている場合、同ガラスパネルを枠体に対してスライド移動可能な状態で取り付けることも可能である。
【０２７２】
（５）上記実施の形態では、「遊技機本体」としての内枠１３に対して「扉体」としての前面扉１４が回動可能な構成を採用したが、これに限定されるものではない。前面扉１４は内枠１３をパチンコ機１０の前方から覆っていればよく、その開閉方法は任意である。例えば、前面扉１４が閉位置と開位置とにスライド移動可能な構成とすることも可能である。
【０２７３】
（６）上記実施の形態では、「付勢手段」としてのコイルバネ４６を前面扉１４に取り付ける構成としたが、同コイルバネ４６の取付対象は前面扉１４に限定されるものではない。例えば内枠１３に取り付けられたコイルバネ４６によってガラスユニット３０をパチンコ機１０の前方へ付勢することも可能である。
【０２７４】
なお、コイルバネ４６に関して必須の構成ではなく、これを省略することも可能である。但し、コイルバネ４６を省略した場合、ガラスユニット３０の位置がばらついた状態で前面扉１４が閉じた場合であっても、延出部３９が遊技盤８０の前面と対向部４５０との間に挿入されるように同延出部３９を誘導する誘導部を設けることが好ましい。例えば、上記誘導部として、対向部４５０の先端部分や延出部３９の先端部分の一方に、当該一方が他方に対して当たった場合に、同延出部３９（ガラスユニット３０）を誘導する誘導傾斜面を形成するとよい。
【０２７５】
（７）上記実施の形態では、ネジ４５によってガラスユニット３０を枠体２０に取り付ける構成としたが、ガラスユニット３０が前後方向へ移動可能な状態で取り付けられているのであればその取付方法は任意である。例えば、枠体２０に、ガラスユニット３０の取り外しを阻止するロック位置と取り外しを許容するロック解除位置とに切替可能なロック機構を設け、同ロック機構によってガラスユニット設置部２２からのガラスユニット３０の脱落を阻止するとよい。
【０２７６】
（８）上記実施の形態では、ガラスユニット設置部２２を凹状とし、同ガラスユニット設置部２２にガラスユニット３０を収容する構成としたが、これに限定されるものではない。少なくともガラスユニット３０をスライド移動可能に保持する保持部５７に相当する構成を有していればよく、同ガラスユニット設置部２２を省略してもよい。
【０２７７】
但し、ガラスユニット設置部２２を省略した場合、ガラスユニット３０を移動可能にしたことにより、窓部２１を通じた不正具等の侵入が容易になり得る。これは、防犯性を低下させる要因となり得るため好ましくない。故に、望ましくは、ガラスユニット設置部２２の周壁部２２ａに相当する構成を設け、同周壁部２２ａとガラスユニット３０とをガラスユニット３０のスライド方向と直交する方向に重ねるとよい。
【０２７８】
（９）上記実施の形態では、内枠１３に「ストッパ」としての当接部２８２を設け、それら当接部２８２によって遊技盤８０側へのガラスユニット３０の移動を阻止する構成としたが、これら当接部２８２は必須の構成ではなく省略することも可能である。但し、当接部２８２等を省略した場合には、前面扉１４を閉じている状態にてガラスユニット３０が押されることにより、同ガラスユニット３０と遊技盤８０との隙間が小さくなり得る。これは、本実施の形態における上記隙間維持の思想に逆行することとなり得るため好ましくない。故に、望ましくは当接部２８２に相当する構成の省略は控えるとよい。
【０２７９】
（１０）上記実施の形態では、ガラスユニット３０の取付部３５とコイルバネ４６とを同じ位置に配置したが、これら取付部３５とコイルバネ４６との配置は任意に変更してよい。但し、取付部３５にガラスユニット３０をスライド移動可能とする機能が付与されている点に着目すれば、コイルバネ４６を取付部３５寄りとなる位置に配置することが望ましい。なお、コイルバネ４６に代えて、板バネ等の他のバネを採用することも可能であり、更にはゴム等の他の付勢部材を採用することも可能である。
【０２８０】
（１１）上記実施の形態では、ガラスユニット３０の延出部３９が遊技盤８０の対向部４５０に対して後方から当接することにより、ガラスユニット３０の前方への移動を不可とする構成とした。ガラスユニット３０の前方への移動を不可とする構成は、それに限定されるものではない。例えば、延出部３９が対向部４５０に対して前方から当接する構成を採用するとともに、コイルバネ等の付勢手段を用いてガラスユニット３０を遊技盤８０側へ付勢する構成とすれば、ガラスユニット３０の前方への移動を抑えることが可能となる。
【０２８１】
但し、このような変更を行った場合には、ガラスユニット３０と枠体２０との相対位置のずれが大きくなった場合に規制機能が停止しないように、付勢力の初期値を高めに設定する必要が生じる。このため、上記相対位置のずれが最も小さい状態にて上記付勢力が最大となり、延出部３９や対向部４５０に生じる負荷が大きくなると想定される。これは規制機能担保の観点から好ましくないと考えられる。一方、上記実施の形態においては、相対位置のずれ量が最小である場合にコイルバネ４６の付勢力も最小となり、延出部３９や対向部４５０に生じる負荷が大きくなることを好適に回避することができる。更には、ガラスユニット３０と遊技盤８０との隙間の変化が微小な場合には、延出部３９と対向うぶ４５０との当接を回避することができ、それら延出部３９等を好適に保護することが可能となる。故に、望ましくは、上記実施の形態に示したようにガラスユニット３０側の「規制部」としての延出部３９が遊技盤側の「規制部」としての対向部４５０に対して後方から当接（対向）する構成を採用するとよい。
【０２８２】
（１２）上記実施の形態では、内枠１３（詳しくは樹脂ベース７０）において前面扉１４を軸支している側と同一側に挿入部２９０を配したが、これを変更し、内枠１３において前面扉１４を軸支している側とは反対側に挿入部２９０を配することも可能である。但し、このような変更を行った場合には、遊技盤８０を着脱する際に前面扉１４が作業の邪魔になりやすいと想定される。確かに、前面扉１４の開放量を大きくすることで、作業性の低下を抑えることは可能であるが、このような対応は作業スペースが無駄に拡がる要因となり得るため好ましくない。特に、遊技ホール等の島設備に設置されている状態にて前面扉１４を大きく開放させる必要があると、隣接する遊技機での遊技を妨げる要因となり得るため好ましくない。この点、上記実施の形態に示したように、前面扉１４を軸支している側と同一側に挿入部２９０を配すれば、上記不都合を払拭し、実用上好ましい構成を実現できる。
【０２８３】
（１３）上記実施の形態では、遊技盤８０を回動させることにより装着完了位置へ配置可能な構成としたが、これに限定されるものではない。例えば遊技盤８０を所定の方向にスライド移動させることで装着完了位置へ配置可能な構成とすることも可能である。
【０２８４】
（１４）上記実施の形態では、樹脂ベース７０に対して遊技盤８０を同樹脂ベース７０の前方から着脱可能な構成としたが、これを変更し、同遊技盤８０を樹脂ベース７０の後方から着脱可能な構成とすることも可能である。
【０２８５】
（１５）上記実施の形態では、「パネル部材」をガラス製としたが、合成樹脂製とすることも可能である。このようにパネル部材を合成樹脂製とする場合には、併せて以下の変更を行うことも可能である。すなわち、延出部３９に相当する構成を、パネル部材に設けることも可能である。
【０２８６】
（１６）上記実施の形態では、「パネル側係合部」としてのガラス側係合部材７００を可動式とし、「遊技盤側係合部」としての遊技盤側係合部７５０を固定式としたが、これに限定されるものではない。少なくとも両者のうち一方が可動式となっていればよく、例えばガラス側係合部材を固定式とし、遊技盤側係合部を可動式とすることも可能である。
【０２８７】
上記実施の形態においては特に、施錠装置５００における可動部材（詳しくは連動杆５４０や前扉用鉤部材５５０）が内枠１３（樹脂ベース７０）に配設されている。そこで、上述の如く、遊技盤側係合部７５０を可動式とすれば、遊技盤側係合部７５０と施錠装置５００との位置関係のばらつきを抑えることができる。また、前面扉１４を回動可能に軸支している構成においては、同前面扉１４の回動先端側にて、前面扉１４の位置ずれ等が生じやすくなると想定される。この点、上述の如く遊技盤側係合部７５０を可動式とすれば、前面扉１４の位置ずれに起因して施錠装置５００の解錠動作との連動が妨げられるといった不都合の発生を好適に抑制することができる。
【０２８８】
なお、ガラス側係合部材と遊技盤側係合部との両者を共に可動式とすることも可能である。但しこのような変更を行った場合には、一方を固定式とする場合と比較して隙間維持機能の更なる向上が困難であるのに対して、構成が複雑化することによる耐久性の低下等のデメリットが生じ得る。故に、望ましくは、一方の係合部のみを可動式とするとよい。
【０２８９】
（１７）上記実施の形態では、ガラス側係合部材７００及び遊技盤側係合部７５０を、施錠装置５００寄りとなる位置に配置したが、それらガラス側係合部材７００及び遊技盤側係合部７５０の配置は任意である。但し、施錠装置５００に生じる動力を利用して規制状態から規制解除状態への切り替えを行う場合、施錠装置５００から離れるにしたがって、上記動力の伝達が困難になる。故に、望ましくは、ガラス側係合部材７００及び遊技盤側係合部７５０を、施錠装置５００寄りとなる位置に配置するとよい。
【０２９０】
（１８）上記実施の形態では、遊技領域区画部材４８０に遊技盤側係合部７５０を設けたが、これを変更し、遊技領域区画部材４８０とは別に遊技盤側係合部を設けてもよい。
【０２９１】
このような変更を行う場合には、遊技盤側係合部を遊技盤８０の前面側ではなく背面側に配することも可能である。例えば、遊技盤側係合部を遊技盤８０とは別体で設けるのではなく、遊技盤８０自身の背面等にガラス側係合部材７００が引っ掛かる構成、すなわち遊技盤８０に遊技盤側係合部を形成する構成としてもよい。
【０２９２】
しかしながら、遊技盤８０が当該遊技盤８０の前面基準で位置決めされている点に着目すれば、遊技盤側係合部を遊技盤８０の背面側に配することで、遊技盤８０の厚み誤差の影響を受けやすくなり、同影響が隙間維持機能を低下させる要因となり得る。故に、遊技盤側係合部を配設する場合には、上記不都合の発生を回避すべく同遊技盤側係合部を遊技盤８０の前面側に配することが好ましい。
【０２９３】
（１９）上記実施の形態では、ガラス側係合部材７００が施錠装置５００の前扉用鉤部材５５０に連動して、規制状態から規制解除状態に切り替る構成としたが、これに限定されるものではない。少なくとも前面扉１４の施錠を解除する場合にキー操作等に追従して動作する可動部材に対して連動する構成とすればよい。例えば、ガラス側係合部材７００が連動杆５４０に対して連動する構成とすることも可能である。
【０２９４】
但し、このような変更を行う場合には、以下の点に配慮することが好ましい。すなわち、本実施の形態に示す連動杆５４０においては内枠用鉤部材６２０を動作させる機能が付与されているため、内枠１３を開放する際にも動作することとなる。このように前面扉１４の開放とは関係なく連動杆５４０が動作した場合には、その影響が規制機構におよぶことを回避することが好ましい。
【０２９５】
（２０）上記実施の形態では、前面扉１４の回動基端側に施錠装置５００とは別個独立して機能する第１規制機構を配設したが、同第１規制機構については必須の構成ではなく、これを省略することも可能である。
【０２９６】
このように第１規制機構を省略する場合、第２規制機構に相当する構成（すなわち施錠装置５００に連動して機能する構成）を前面扉１４の回動基端側に配することも可能である。しかしながら、このような変更を行った場合には上記変形例にて説明したように、施錠装置に発生する動力を前面扉１４の回動基端側に伝えるための構成が必要となる。これは、動力伝達に関する構成の占有領域を無駄に大きくする要因となり得るため好ましくない。故に、望ましくは、施錠装置とは無関係に規制状態及び規制解除状態の切り替えが行われる第１規制機構と、施錠装置に連動して規制状態及び規制解除状態の切り替えが行われる第２規制機構とを併用することが好ましい。
【０２９７】
（２１）上記実施の形態では、第２規制機構の規制状態から規制解除状態への切替完了タイミングが、施錠装置５００によって前面扉１４が施錠されている状態から施錠が解除されている状態への切替完了タイミングに対して先行する構成としたがこれに限定されるものではない。例えば、両タイミングが同時となる構成とすることも可能である。
【０２９８】
（２２）上記実施の形態では、ガラス側係合部材７００が回動することにより規制状態と規制解除状態との切り替えがなされる構成としたが、ガラス側係合部材７００の動作態様については任意である。例えば、ガラス側係合部材７００がスライド移動することにより規制状態と規制解除状態との切り替えがなされる構成としてもよい。
【０２９９】
（２３）上記実施の形態では、施錠装置５００が、内枠１３に対して前面扉１４が閉じている状態で同前面扉１４を開放不能に施錠する前面扉用の施錠機構と、外枠１１に対して内枠１３が閉じている状態で同内枠１３を開放不能に施錠する内枠用の施錠機構とを併有する構成としたが、これら各施錠機構を別個独立して設けてもよい。
【０３００】
（２４）上記実施の形態では、施錠装置５００を内枠１３に配設したが、これにを変更し、施錠装置を前面扉１４に配設することも可能である。但し、このような変更を行った場合には、内枠１３を外枠１１に対して閉じたまま、前面扉１４を開放することが困難になり得る。これは、メンテナンス作業等の煩雑化を招来する要因となり得るため好ましくない。故に、このような変更を行う場合、上記変形例（２３）に示した構成を併せて適用するとよい。
【０３０１】
また、上記実施の形態では、施錠装置５００を樹脂ベース７０の前面側に配設したが、これを変更し、施錠装置を樹脂ベース７０の背面側に配設してもよい。
【０３０２】
（２５）上記実施の形態では、前面扉１４が閉位置に向けて移動する過程にて、先ず第２規制機構のガラス側係合部材７００の規制状態への切り替えが開始され、その後、前扉用鉤部材５５０の施錠状態への切り替えが開始される構成とした。つまり、ガラス側係合部材７００のフランジ部７０４が、前扉用鉤部材５５０の延出部５６５に先んじて同延出部５６５から遠ざかる側へ移動を開始する構成とした。これを変更し、第２規制機構の規制状態への切り替えが施錠装置５００の施錠状態への切り替えに先んじて完了する構成とすることも可能である。
【０３０３】
但し、このような変更を行った場合には、規制状態への切り替えと施錠状態への切り替えとのタイムラグに応じてガラス側係合部材７００の爪部７０３と遊技盤側係合部７５０の前板部４９６との間に生じる隙間（遊び）が大きくなり、隙間の拡がりを規制する機能が低下すると想定される。故に、望ましくは、上記実施の形態に示したように第２規制機構の規制状態への切替完了タイミングと、施錠装置５００の施錠状態への切替完了タイミングとを揃えるとよい。
【０３０４】
（２６）上記実施の形態では、第１規制機構及び第２規制機構によって、遊技盤８０とガラスユニット３０との隙間の拡がりを規制する構成としたが、これを以下のように変更してもよい。例えば、それら両規制機構により、遊技盤８０とガラスユニット３０との隙間の狭まりを規制する構成としてもよいし、隙間の拡がり及び狭まりの両方を規制する構成としてもよい。
【０３０５】
また、各規制機構に異なる機能を付与することも可能である。例えば、第１規制機構によって上記隙間の拡がりを規制するとともに、第２規制機構によって上記隙間の狭まりを規制する構成としてもよい。
【０３０６】
（２７）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０３０７】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０３０８】
特徴１．遊技球が流下する遊技領域（遊技領域ＰＥ）が前面側に形成された遊技盤（遊技盤８０）を、本体枠（樹脂ベース７０）に搭載してなる遊技機本体（内枠１３）と、
前記遊技盤を遊技機前方から覆うとともに前記遊技領域が視認可能となるように形成されたパネル部（ガラスユニット３０）を、前記遊技機本体の前方に配されているとともに同遊技機本体に対して開閉可能に設けられた扉枠（枠体２０）に搭載してなる扉体（前面扉１４）と、
前記扉体を前記遊技機本体に対して閉じた状態で施錠する施錠状態及び施錠しない施錠解除状態に切替可能な施錠装置（施錠装置５００）と、
前記遊技盤及び前記パネル部に設けられているとともに、前記遊技盤と前記パネル部との隙間の変化を規制する規制状態及び規制を解除する規制解除状態に切替可能に構成され、前記扉体が前記遊技機本体に対して閉じることにより前記規制状態となる規制手段（ガラスユニット３０のガラス側係合部材７００及び遊技盤８０の遊技盤側係合部７５０）と、
前記施錠装置の前記施錠解除状態への切り替えに基づいて、前記規制手段を前記規制解除状態に切り替える切替手段（前扉用鉤部材５５０の延出部５５６）と
を備えていることを特徴とする遊技機。
【０３０９】
遊技機本体を扉体で覆うタイプの遊技機においては本体枠と扉枠との位置関係に配慮した構成が採用されているものがある。このような構成では、本体枠と扉枠との位置関係を好適に維持することはできるものの、本体枠に対して別体で設けられた遊技盤と、扉枠に対して別体で設けられたパネル部との位置関係を好適に維持することは困難であると想定される。つまり、遊技盤及びパネル部の相対位置（前後位置）の変化やばらつきを抑えることは難しいと想定される。
【０３１０】
遊技盤とパネル部との間に遊技領域が設けられ、その遊技領域を遊技球が流下する構成においては、上述した遊技盤及びパネル部の相対位置の変化は遊技領域における遊技球の挙動に影響し得る。遊技盤を有する遊技機においては遊技領域における遊技球の挙動によって有利不利が決定されるため、遊技盤とパネル部材との相対位置が変化することは好ましくない。
【０３１１】
この点、本特徴によれば、扉体を遊技機本体に対して閉じることによりパネル部と遊技盤とに設けられた規制手段によってそれら遊技盤及びパネル部の隙間の変化（例えば遊技盤とパネル部との間隔の変化）が規制される。これにより、上記不都合の発生を好適に抑え、遊技領域を流下する遊技球の挙動を好適なものとすることができる。一方、扉体を開く場合には、施錠装置を施錠解錠状態に切り替えることで、上記規制手段も規制解除状態に切り替わる。これにより、扉体の開放が許容される。つまり、規制手段を規制解除状態に切り替えるための別途操作を必要としない。故に、隙間の変化を規制可能な構成を採用しつつ、それによって扉体の開閉作業が困難になることを抑制できる。
【０３１２】
なお、本特徴に示す遊技盤とパネル部とは必ずしも平行である必要はない。つまり、上記隙間が全ての箇所で一定となる構成に限定されるものではなく、例えば遊技盤の前面が平面である場合にパネル部の後面を曲面とすることも可能である。更には、本特徴における「隙間の変化」は必ずしも遊技盤とパネル部との最短距離の変化に限定しているのではなく、それら遊技盤及びパネル部両者における任意箇所同士の距離の変化を含んでいる。
【０３１３】
特徴２．前記切替手段は、前記扉体が開放される場合に、前記施錠装置が前記施錠状態で維持されている間に、前記規制手段の前記規制解除状態への切り替えを完了するように構成されていることを特徴とする特徴１に記載の遊技機。
【０３１４】
特徴２によれば、扉体の開放が許容されている状態では規制手段は規制解除状態に切り替っている。つまり、解錠操作に基づく施錠解除状態への切り替えに先行して規制手段が規制解除状態に切り替る。このため、仮に作業ミス等により施錠解除操作の途中にて扉体が手前側に引っ張られた場合でも、その負荷が規制手段に集中するといった不都合を回避することができる。これにより、規制手段を保護し、特徴１に示した隙間維持機能を好適に担保することができる。
【０３１５】
特徴３．前記規制手段は、前記遊技盤に設けられた遊技盤側係合部（遊技盤側係合部７５０）及び前記パネル部に設けられたパネル側係合部（ガラス側係合部材７００）を有し、それら遊技盤側係合部及びパネル側係合部が係合することにより前記規制状態に切り替るように構成されており、
前記遊技盤側係合部及び前記パネル側係合部のうち少なくとも一方は、他方に対する係合位置から係合が解除される係合解除位置へ前記切替手段に連動して移動可能に設けられていることを特徴とする特徴１又は特徴２に記載の遊技機。
【０３１６】
特徴３によれば、扉体を遊技機本体に対して閉じている場合、遊技盤側係合部とパネル側係合部とが係合することにより、隙間の変化が規制された状態となる。そして、施錠装置が施錠解除状態に切り替えらることにより、両係合部のうち少なくとも一方が係合解除位置へ移動し、上記規制が解除される。これにより、特徴１に示した構成を好適に実現することができる。
【０３１７】
特徴４．前記規制手段は、前記遊技盤に設けられた遊技盤側係合部（遊技盤側係合部７５０）と前記パネル部に設けられたパネル側係合部（ガラス側係合部材７００）とを有し、それら遊技盤側係合部及びパネル側係合部が係合することにより前記規制状態に切り替るように構成されており、
前記パネル側係合部は、前記遊技盤側係合部と係合する係合位置から係合が解除される係合解除位置へ前記切替手段に連動して移動可能に設けられていることを特徴とする特徴１又は特徴２に記載の遊技機。
【０３１８】
特徴４によれば、特徴１に示した構成を好適に実現することができる。特に、パネル側係合部を可動式とすることにより、必ずしも遊技盤側係合部を可動式にする必要がなくなる。つまり、遊技盤側係合部を固定式とすることが可能となる。遊技盤においてパネル部と対向する位置には遊技領域が形成されているが、上述の如く遊技盤側係合部の構成を簡素化できれば、遊技盤の前面側にて遊技盤側係合部と遊技領域とを好適に共存させることが可能となる。つまり、遊技盤の前面側（遊技領域に近い位置で）隙間の変化を規制することが可能となり、上記隙間維持機能を一層好適なものとすることができる。
【０３１９】
特徴５．前記施錠装置は、
前記扉枠に固定された扉側施錠部材（鉤受け部材６３）と、
前記本体枠に設けられ、前記施錠解除状態に切り替る場合に前記扉側施錠部材に対する施錠位置から施錠解除位置へ移動する本体側施錠部材（前扉用鉤部材５５０）と
を有し、
前記切替手段は、前記本体枠に配設されているとともに、前記施錠装置が解錠状態に切り替えられた場合に第１位置から第２位置へ移動するように構成されており、
前記パネル側係合部には、前記扉体が前記遊技機本体に対して閉じることにより、前記切替手段の前記第１位置から前記第２位置への移動経路上に配され、同切替手段によって操作される操作部が設けられていることを特徴とする特徴４に記載の遊技機。
【０３２０】
例えば扉側施錠部材を可動式、本体側施錠部材を固定式とするとともに切替手段を扉枠体に配設することにより特徴３に示した構成を実現することも可能である。このような対応を行うことで、パネル側係合部，切替手段及び施錠装置を好適に連動させることができる。しかしながら、このような構成を採用すると、施錠装置の簡素化が困難になったり、遊技本体や扉体の開閉作業が煩雑化したりし得る。具体的には、近年では遊技機本体が遊技ホール等の島設備に固定される支持枠（外枠１１）によって支持され、施錠装置に同遊技機本体を支持枠に対して閉じた状態で施錠する機能が付与されている遊技機が提案されている。このような遊技機においては施錠装置における可動部を遊技機本体に集約することにより、施錠装置の構成の簡略化及び遊技機本体や扉体の開閉作業の容易化が図られている。故に、上述の如く扉側施錠部材を可動式とすることは施錠装置の好適化の流れに逆行することになり得る。
【０３２１】
そこで、本特徴に示すように、本体側施錠部材を可動式とするとともに切替手段を本体枠に配設し、パネル部側係合部に、扉体が遊技機本体に対して閉じることにより切替手段の移動経路上に配される操作部を設けることにより、上記各種不都合を払拭しつつ、特徴３に示した効果を享受することができ、実用上好ましい構成を実現できる。
【０３２２】
特徴６．前記扉枠は、前記本体枠によって回動可能に支持されており、
前記施錠装置は、前記本体枠において前記扉枠が支持されている側とは反対側、及び前記扉枠における回動先端側に配されており、
前記規制手段及び前記切替手段は、前記施錠装置と同一側に配されていることを特徴とする特徴１乃至特徴６のいずれか１つに記載の遊技機。
【０３２３】
本特徴に示すように扉枠が本体枠によって回動可能に支持されている構成においては、施錠装置を扉枠が支持されている側、及び前記扉枠における回動先端側に配することで、遊技機本体からの扉体の浮き上がりを好適に抑制し、防犯性の向上に貢献することができる。このような構成においては、規制手段及び切替手段を施錠装置と同一側に配することにより、隙間維持に関する構成の占有領域の拡がりを抑えることができる。
【０３２４】
特徴７．前記遊技盤は、当該遊技盤の前面から前方へ起立して、前記遊技盤の前面に前記遊技領域及びその遊技領域へ遊技球を誘導する誘導部を区画形成する区画部（誘導レール１００や遊技領域区画部材４８０の側壁部）を有しており、
前記規制手段は、前記遊技盤と前記パネル部との間であって、前記区画部と前記施錠装置との間に配置されていることを特徴とする特徴６に記載の遊技機。
【０３２５】
特徴７によれば、規制手段を遊技盤とパネル部との間に配置することにより、隙間維持機能を一層好適なものとすることができる。また、規制手段を区画部と施錠装置との間に配することにより、規制手段と遊技領域との前後方向での重なりを回避しつつ、遊技盤の前面側にて遊技領域と規制手段とを好適に共存させることができ、更には遊技盤の前面側にて切替手段と遊技領域とを好適に共存させることができる。
【０３２６】
特徴８．前記規制手段は、第１規制手段であり、
前記遊技盤及び前記パネル部において前記扉体の回動基端側となる部分に設けられ、前記扉体が前記遊技機本体に対して閉じている場合に、前記遊技盤と前記パネル部との隙間の変化を規制する第２規制手段（ガラスユニット３０の延出部３９及び遊技盤８０の対向部４５０）を備え、
前記第２規制手段は、
前記遊技盤に配設され、当該遊技盤の前面に対して所定の隙間を隔てて対向する遊技盤側規制部（対向部４５０）と、
前記パネル部に配設され、同扉体が前記遊技機本体に対して閉じた位置へ回動することにより前記遊技盤側規制部及び前記遊技盤の間に挿入され、前記扉体が前記遊技機本体に対して開いた位置へ回動することにより同扉体の動きに追従して前記遊技盤側規制部及び前記遊技盤の間から離脱するパネル側規制部（延出部３９）と
を有していることを特徴とする特徴６又は特徴７に記載の遊技機。
【０３２７】
特徴８によれば、遊技盤の一端側に設けられた第１規制手段と、他端側に設けられた第２規制手段とによって、遊技盤及びパネル部の隙間の変化を好適に抑制することができる。第２規制手段は、扉体の開閉操作に基づいて規制状態と規制解除状態との切り替えがなされるため、第１規制手段と同様に切替操作を別途必要としない。これにより、規制機能の向上を図りつつ、それに起因した扉体の開閉操作の煩雑化を回避することができる。
【０３２８】
特徴６等に示したように施錠装置を扉枠の回動先端側及び本体枠において扉枠を支持している側と反対側に配置する構成においては、第１規制手段を回動先端側に配置することで、隙間維持に関する構成（特に切替手段）の占有領域の拡がりを抑えることができる。ここで、仮に第２規制手段と同様の位置に第１規制手段に相当する構成を配設した場合には、上記占有領域が過度に拡がってしまうと想定される。これは、遊技領域を圧迫する要因となり得るため好ましくない。
【０３２９】
また、本特徴においては、遊技盤において扉体の回動基端側となる位置に遊技盤側規制部を配置するとともにパネル部において扉体の回動基端側となる位置にパネル側規制部を配置することにより、上記隙間にパネル側規制部が挿入される際及び同隙間から離脱する際の同パネル側規制部の移動方向を遊技盤の前面と略平行とすることが可能となる。故に、例えば遊技盤側規制部とパネル側規制部との隙間を小さくしたり、それら両規制部の掛かり代（すなわち前後方向における重なり代）を大きくしたりすることができ、規制手段の規制機能を一層好適なものとすることができる。ここで、仮に第１規制手段と同様の位置に第２規制手段に相当する構成を配設した場合には、上記隙間にパネル側規制部を挿入することが困難となり、上記効果を享受することが困難となり得る。
【０３３０】
以上の理由から、扉体を回動可能とする構成においては本特徴に示すように、回動基端側及び回動先端側にて異なるタイプの規制手段を採用することにより、規制機能を好適に向上させつつ、それに起因した扉体の開放作業の複雑化を回避し、更には規制手段及びそれに付随する構成の省スペース化及び簡素化を図ることができる。
【０３３１】
なお、特徴７（区画部を有する構成）との組み合わせにおいては特に、区画部を挟んで第１規制手段とは反対側に第２規制手段を配置するとよい。
【０３３２】
特徴９．前記パネル部は、少なくとも前記規制手段によって隙間の変化が規制されている状態にて、前記扉枠との前後方向への相対変位が許容されるようにして当該扉枠に搭載されていることを特徴とする特徴１乃至特徴７のいずれか１つに記載の遊技機。
【０３３３】
特徴９によれば、本体枠から扉枠が浮く等してそれら本体枠と扉枠との前後方向への相対位置が変化した場合であっても、それに応じてパネル部と扉枠との前後方向への相対位置が変化することにより、パネル部及び扉枠の隙間が維持される。これにより、本体枠と扉枠との位置のばらつき等に起因した遊技盤及びパネル部の位置のばらつきや隙間の変化を抑えることができ、遊技盤とパネル部との位置関係を好適に維持することができる。
【０３３４】
なお、本特徴に示す技術的特徴を特徴８に適用することも可能であるが、この場合、本特徴を「前記パネル部は、少なくとも前記第１規制手段及び第２規制手段によって隙間の変化が規制されている状態にて、当該パネル部及び前記扉枠の並設方向での同扉枠との相対変位が許容されるようにして当該扉枠に搭載されていることを特徴とする特徴８に記載の遊技機」に変更するとよい。
【０３３５】
以下に、以上の各特徴を適用し得る遊技機の基本構成を示す。
【０３３６】
パチンコ遊技機：遊技者が操作する操作手段（遊技球発射ハンドル２９）と、その操作手段の操作に基づいて遊技球を発射する遊技球発射手段（遊技球発射機構１１０）と、その発射された遊技球を所定の遊技領域に導く球通路（誘導通路１０３）と、遊技領域内に配置された各遊技部品（釘８７等）とを備え、それら各遊技部品のうち所定の通過部（一般入賞口８１等）を遊技球が通過した場合に遊技者に特典を付与する遊技機。
【符号の説明】
【０３３７】
１０…遊技機としてのパチンコ機、１１…外枠、１３…遊技機本体としての内枠、１４…扉体としての前面扉、２０…扉枠としての枠体、２１…窓部、２２…ガラスユニット設置部、２２ａ…囲み部としての周壁部、３０…パネル部としてのガラスユニット、３１，３２…ガラスパネル、３３…ガラスホルダ、３５…取付部、３９…第２規制手段を構成する延出部、４５…ネジ、４５ａ…頭部、４６…コイルバネ、５７…保持部、７０…本体枠としての樹脂ベース、７３…遊技盤設置部としての遊技盤収容部、８０…遊技盤、１００…誘導手段としての誘導レール、１０１…内レール、１０２…外レール、１０３…誘導通路、１１０…遊技球発射部としての遊技球発射機構、１１２…発射レール、２７１…ストッパ部、４００…第２レールカバー、４５０…第２規制手段を構成する対向部、５００…施錠装置、５５０…前扉用鉤部材、５５６…切替手段としての延出部、７００…パネル側係合部としてのガラス側係合部材、７５０…遊技盤側係合部、ＰＥ…遊技領域。
【図１】
0005487826.tif 000002
【図２】
0005487826.tif 000003
【図３】
0005487826.tif 000004
【図４】
0005487826.tif 000005
【図５】
0005487826.tif 000006
【図６】
0005487826.tif 000007
【図７】
0005487826.tif 000008
【図８】
0005487826.tif 000009
【図９】
0005487826.tif 000010
【図１０】
0005487826.tif 000011
【図１１】
0005487826.tif 000012
【図１２】
0005487826.tif 000013
【図１３】
0005487826.tif 000014
【図１４】
0005487826.tif 000015
【図１５】
0005487826.tif 000016
【図１６】
0005487826.tif 000017
【図１７】
0005487826.tif 000018
【図１８】
0005487826.tif 000019
【図１９】
0005487826.tif 000020
【図２０】
0005487826.tif 000021
【図２１】
0005487826.tif 000022
【図２２】
0005487826.tif 000023
【図２３】
0005487826.tif 000024
【図２４】
0005487826.tif 000025
【図２５】
0005487826.tif 000026
【図２６】
0005487826.tif 000027
【図２７】
0005487826.tif 000028
【図２８】
0005487826.tif 000029
【図２９】
0005487826.tif 000030
【図３０】
0005487826.tif 000031
【図３１】
0005487826.tif 000032
【図３２】
0005487826.tif 000033
【図３３】
0005487826.tif 000034